(57)【要約】本開示のある態様は、制限された送信オーバヘッドを備えたプリアンブルの信号フィールド・ビットを用いた、超高スループット（ＶＨＴ）システムにおける移動局における省電力のための技術に関する。本開示は、宛先が送信パケットの意図された宛先でありうることを、プリアンブル巡回冗長検査（ＣＲＣ）チェックサムによって宛先に示す方法を提案する。本開示はまた、宛先が送信パケットの意図された宛先ではないことがありうることを、プリアンブルＣＲＣによって宛先に示す方法を提案する。この場合、受信デバイスにおける省電力のために、受信されたパケットの復号が停止されうる。
2013537745.tif 000002
【特許請求の範囲】
【請求項１】
通信のための装置であって、
第２の信号フィールドを変更することにより、第１の信号フィールドを定義するように構成された第１の回路と、ここで、前記変更は、少なくとも１つの識別子に基づく、
前記第１の信号フィールドのためのチェックサムを生成するように構成された第２の回路と、
前記第１の信号フィールドのために生成されたチェックサムを備えた前記第２の信号フィールドを備えるパケットを送信するように構成された送信機と、
を備える装置。
【請求項２】
前記変更中に修正された前記第２の信号フィールドのビットの位置は、前記少なくとも１つの識別子に基づいて判定される、請求項１に記載の装置。
【請求項３】
前記第１の回路はまた、前記第２の信号フィールドに、前記少なくとも１つの識別子を挿入し、前記第１の信号フィールドを定義するように構成された、請求項１に記載の装置。
【請求項４】
前記第１の回路はまた、前記第２の信号フィールドの少なくとも１つのビットと、前記少なくとも１つの識別子の少なくとも１つのビットとの間で、ＸＯＲ演算を実行するように構成された、請求項１に記載の装置。
【請求項５】
前記第１の回路はまた、前記第２の信号フィールドを複数のサブ・フィールドに分割し、前記複数のサブ・フィールドのうちの１または複数におけるビットを変更するように構成された、請求項１に記載の装置。
【請求項６】
前記複数のサブ・フィールドは、第１の変更されていないサブ・フィールドと、第２の変更されていないサブ・フィールドとを備え、
前記第１の変更されていないサブ・フィールドのサイズ、または、前記第２の変更されていないサブ・フィールドのサイズのうちの少なくとも１つは、前記少なくとも１つの識別子に基づく、請求項５に記載の装置。
【請求項７】
前記第１の変更されていないサブ・フィールドのサイズ、または、前記第２の変更されていないサブ・フィールドのサイズのうちの少なくとも１つを、前記少なくとも１つの識別子に関連付けられた装置に提供するように構成された第３の回路、をさらに備える請求項６に記載の装置。
【請求項８】
前記第１の回路はまた、前記少なくとも１つの識別子に基づいて前記第２の信号フィールドのビットをスクランブルして、前記第１の信号フィールドを定義するように構成された、請求項１に記載の装置。
【請求項９】
前記少なくとも１つの識別子は、ソースＩＤまたは宛先ＩＤのうちの少なくとも１つを備える、請求項１に記載の装置。
【請求項１０】
前記変更に関連する情報を、前記宛先ＩＤに関連付けられた装置に提供するように構成された第３の回路をさらに備える、請求項９に記載の装置。
【請求項１１】
前記変更のために使用された手順を、前記宛先ＩＤに関連付けられた装置へ示すように構成された第３の回路をさらに備える、請求項９に記載の装置。
【請求項１２】
前記少なくとも１つの識別子は、グループＩＤを備え、
前記装置はさらに、前記変更のために使用された手順を、前記グループＩＤに関連付けられた装置へ示すように構成された第３の回路をさらに備える、請求項１に記載の装置。
【請求項１３】
前記チェックサムは、無線通信規格のＩＥＥＥ  ８０２．１１体系にしたがって送信されたパケットのヘッダに配置され、
前記ヘッダは、前記パケットのサービス・フィールドを備える、請求項１に記載の装置。
【請求項１４】
前記第２の信号フィールドは、無線通信規格のＩＥＥＥ  ８０２．１１体系にしたがって送信されたパケットの、超高スループット信号フィールド・タイプＡまたは超高スループット信号フィールド・タイプＢのうちの少なくとも１つを備える、請求項１に記載の装置。
【請求項１５】
前記少なくとも１つの識別子は、前記パケットを送信しているソース装置の関連付け識別子（ＡＩＤ）、宛先装置のＡＩＤ、前記ソース装置または前記宛先装置のうちの少なくとも１つにサービス提供するアクセス・ポイントの基本サービス・セット識別情報（ＢＳＳＩＤ）、のうちの少なくとも１つを備える、請求項１に記載の装置。
【請求項１６】
通信のための方法であって、
第２の信号フィールドを変更することにより、第１の信号フィールドを定義することと、ここで、前記変更は、少なくとも１つの識別子に基づく、
前記第１の信号フィールドのためのチェックサムを生成することと、
前記第１の信号フィールドのために生成されたチェックサムを備えた前記第２の信号フィールドを備えるパケットを送信することと、
を備える方法。
【請求項１７】
前記変更中に修正された前記第２の信号フィールドのビットの位置は、前記少なくとも１つの識別子に基づいて判定される、請求項１６に記載の方法。
【請求項１８】
前記第１の信号フィールドを定義することは、前記第２の信号フィールドに、前記少なくとも１つの識別子を挿入することを備える、請求項１６に記載の方法。
【請求項１９】
前記第１の信号フィールドを定義することは、前記第２の信号フィールドの少なくとも１つのビットと、前記少なくとも１つの識別子の少なくとも１つのビットとの間で、ＸＯＲ演算を実行することを備える、請求項１６に記載の方法。
【請求項２０】
前記第１の信号フィールドを定義することは、
前記第２の信号フィールドを複数のサブ・フィールドに分割することと、
前記複数のサブ・フィールドのうちの１または複数におけるビットを変更することと
を備える、請求項１６に記載の方法。
【請求項２１】
前記複数のサブ・フレームは、第１の変更されていないサブ・フィールドと、第２の変更されていないサブ・フィールドとを備え、
前記第１の変更されていないサブ・フィールドのサイズ、または、前記第２の変更されていないサブ・フィールドのサイズのうちの少なくとも１つは、前記少なくとも１つの識別子に基づく、請求項２０に記載の方法。
【請求項２２】
前記第１の変更されていないサブ・フィールドのサイズ、または、前記第２の変更されていないサブ・フィールドのサイズのうちの少なくとも１つを、前記少なくとも１つの識別子に関連付けられた装置に提供することをさらに備える、請求項２１に記載の方法。
【請求項２３】
前記第１の信号フィールドを定義することは、前記少なくとも１つの識別子に基づいて前記第２の信号フィールドのビットをスクランブルすることを備える、請求項１６に記載の方法。
【請求項２４】
前記少なくとも１つの識別子は、ソースＩＤまたは宛先ＩＤのうちの少なくとも１つを備える、請求項１６に記載の方法。
【請求項２５】
前記変更に関連する情報を、前記宛先ＩＤに関連付けられた装置に提供すること、をさらに備える請求項２４に記載の方法。
【請求項２６】
前記変更のために使用された手順を、前記宛先ＩＤに関連付けられた装置へ示すこと、をさらに備える請求項２４に記載の方法。
【請求項２７】
前記少なくとも１つの識別子は、グループＩＤを備え、
前記方法はさらに、前記変更のために使用された手順を、前記宛先ＩＤに関連付けられた装置へ示すこと、を備える請求項１６に記載の方法。
【請求項２８】
前記チェックサムは、無線通信規格のＩＥＥＥ  ８０２．１１体系にしたがって送信されたパケットのヘッダに配置され、
前記ヘッダは、前記パケットのサービス・フィールドを備える、請求項１６に記載の方法。
【請求項２９】
前記第２の信号フィールドは、無線通信規格のＩＥＥＥ  ８０２．１１体系にしたがって送信されたパケットの、超高スループット信号フィールド・タイプＡまたは超高スループット信号フィールド・タイプＢのうちの少なくとも１つを備える、請求項１６に記載の方法。
【請求項３０】
前記少なくとも１つの識別子は、前記パケットを送信しているソース装置の関連付け識別子（ＡＩＤ）、宛先装置のＡＩＤ、前記ソース装置または前記宛先装置のうちの少なくとも１つにサービス提供するアクセス・ポイントの基本サービス・セット識別情報（ＢＳＳＩＤ）、のうちの少なくとも１つを備える、請求項１６に記載の方法。
【請求項３１】
通信のための装置であって、
第２の信号フィールドを変更することにより、第１の信号フィールドを定義する手段と、ここで、前記変更は、少なくとも１つの識別子に基づく、
前記第１の信号フィールドのためのチェックサムを生成する手段と、
前記第１の信号フィールドのために生成されたチェックサムを備えた前記第２の信号フィールドを備えるパケットを送信する手段と、
を備える装置。
【請求項３２】
前記変更中に修正された前記第２の信号フィールドのビットの位置は、前記少なくとも１つの識別子に基づいて判定される、請求項３１に記載の装置。
【請求項３３】
前記第２の信号フィールドに、前記少なくとも１つの識別子を挿入し、前記第１の信号フィールドを定義する手段、をさらに備える請求項３１に記載の装置。
【請求項３４】
前記第２の信号フィールドの少なくとも１つのビットと、前記少なくとも１つの識別子の少なくとも１つのビットとの間で、ＸＯＲ演算を実行し、前記第１の信号フィールドを定義する手段、をさらに備える請求項３１に記載の装置。
【請求項３５】
前記第２の信号フィールドを複数のサブ・フィールドに分割する手段と、
前記複数のサブ・フィールドのうちの１または複数におけるビットを変更する手段と、
さらに備える請求項３１に記載の装置。
【請求項３６】
前記複数のサブ・フィールドは、第１の変更されていないサブ・フィールドと、第２の変更されていないサブ・フィールドとを備え、
前記第１の変更されていないサブ・フィールドのサイズ、または、前記第２の変更されていないサブ・フィールドのサイズのうちの少なくとも１つは、前記少なくとも１つの識別子に基づく、請求項３５に記載の装置。
【請求項３７】
前記第１の変更されていないサブ・フィールドのサイズ、または、前記第２の変更されていないサブ・フィールドのサイズのうちの少なくとも１つを、前記少なくとも１つの識別子に関連付けられた装置に提供する手段、をさらに備える請求項３６に記載の装置。
【請求項３８】
前記少なくとも１つの識別子に基づいて前記第２の信号フィールドのビットをスクランブルして、前記第１の信号フィールドを定義する手段、をさらに備える請求項３１に記載の装置。
【請求項３９】
前記少なくとも１つの識別子は、ソースＩＤまたは宛先ＩＤのうちの少なくとも１つを備える、請求項３１に記載の装置。
【請求項４０】
前記変更に関連する情報を、前記宛先ＩＤに関連付けられた装置に提供する手段、をさらに備える請求項３９に記載の装置。
【請求項４１】
前記変更のために使用された手順を、前記宛先ＩＤに関連付けられた装置へ示す手段、をさらに備える請求項３９に記載の装置。
【請求項４２】
前記少なくとも１つの識別子は、グループＩＤを備え、
前記装置はさらに、前記変更のために使用された手順を、前記宛先ＩＤに関連付けられた装置へ示す手段、を備える請求項３１に記載の装置。
【請求項４３】
前記チェックサムは、無線通信規格のＩＥＥＥ  ８０２．１１体系にしたがって送信されたパケットのヘッダに配置され、
前記ヘッダは、前記パケットのサービス・フィールドを備える、請求項３１に記載の装置。
【請求項４４】
前記第２の信号フィールドは、無線通信規格のＩＥＥＥ  ８０２．１１体系にしたがって送信されたパケットの、超高スループット信号フィールド・タイプＡまたは超高スループット信号フィールド・タイプＢのうちの少なくとも１つを備える、請求項３１に記載の装置。
【請求項４５】
前記少なくとも１つの識別子は、前記パケットを送信しているソース装置の関連付け識別子（ＡＩＤ）、宛先装置のＡＩＤ、前記ソース装置または前記宛先装置のうちの少なくとも１つにサービス提供するアクセス・ポイントの基本サービス・セット識別情報（ＢＳＳＩＤ）、のうちの少なくとも１つを備える、請求項３１に記載の装置。
【請求項４６】
無線通信のためのコンピュータ・プログラム製品であって、
第２の信号フィールドを変更することにより、第１の信号フィールドを定義することと、ここで、前記変更は、少なくとも１つの識別子に基づく、
前記第１の信号フィールドのためのチェックサムを生成することと、
前記第１の信号フィールドのために生成された前記チェックサムを備えた第２の信号フィールドを備えるパケットを送信することと、
を実行可能な命令群を備えるコンピュータ読取可能な媒体を備える、コンピュータ・プログラム製品。
【請求項４７】
アクセス・ポイントであって、
少なくとも１つのアンテナと、
第２の信号フィールドを変更することにより、第１の信号フィールドを定義するように構成された第１の回路と、ここで、前記変更は、少なくとも１つの識別子に基づく、
前記第１の信号フィールドのためのチェックサムを生成するように構成された第２の回路と、
前記第１の信号フィールドのために生成された前記チェックサムを備えた前記第２の信号フィールドを備えるパケットを、前記少なくとも１つのアンテナを介して送信するように構成された送信機と、
を備えるアクセス・ポイント。
【請求項４８】
通信のための装置であって、
チェックサムを備えた第１の信号フィールドを備えるパケットを受信するように構成された受信機と、
前記第１の信号フィールドを変更することにより第２の信号フィールドを定義するように構成された第１の回路と、ここで、前記変更は、少なくとも１つの識別子に基づく、
前記第２の信号フィールドのためのチェックサムを生成するように構成された第２の回路と、
前記生成されたチェックサムを、前記受信されたチェックサムと比較し、前記生成されたチェックサムが、前記受信されたチェックサムと一致する場合、前記パケットが、前記少なくとも１つの識別子に関連付けられていると判定するように構成された第３の回路と、
を備える装置。
【請求項４９】
前記変更中に修正された前記第１の信号フィールドのビットの位置は、前記少なくとも１つの識別子に基づいて判定される、請求項４８に記載の装置。
【請求項５０】
前記第１の回路はまた、前記第１の信号フィールドに、前記少なくとも１つの識別子を挿入し、前記第２の信号フィールドを定義するように構成された、請求項４８に記載の装置。
【請求項５１】
前記第１の回路はまた、前記第１の信号フィールドの少なくとも１つのビットと、前記少なくとも１つの識別子の少なくとも１つのビットとの間で、ＸＯＲ演算を実行するように構成された、請求項４８に記載の装置。
【請求項５２】
前記第１の回路はまた、前記第１の信号フィールドを複数のサブ・フィールドに分割し、前記複数のサブ・フィールドのうちの１または複数におけるビットを変更するように構成された、請求項４８に記載の装置。
【請求項５３】
前記複数のサブ・フィールドは、第１の変更されていないサブ・フィールドと、第２の変更されていないサブ・フィールドとを備え、
前記第１の変更されていないサブ・フィールドのサイズ、または、前記第２の変更されていないサブ・フィールドのサイズのうちの少なくとも１つは、前記少なくとも１つの識別子に基づく、請求項５２に記載の装置。
【請求項５４】
前記受信機はまた、前記第１の変更されていないサブ・フィールドのサイズ、または、前記第２の変更されていないサブ・フィールドのサイズのうちの少なくとも１つのシグナリングを受信するように構成された、請求項５３に記載の装置。
【請求項５５】
前記第１の回路はまた、前記少なくとも１つの識別子に基づいて前記第１の信号フィールドのビットをスクランブルして、前記第２の信号フィールドを定義するように構成された、請求項４８に記載の装置。
【請求項５６】
前記受信機はまた、前記変更に関連するシグナリング情報を受信するように構成され、
前記第１の回路はまた、前記シグナリング情報に基づいて、前記第２の信号フィールドを定義するように構成された、請求項４８に記載の装置。
【請求項５７】
前記少なくとも１つの識別子は、ソースＩＤまたは宛先ＩＤのうちの少なくとも１つを備える、請求項４８に記載の装置。
【請求項５８】
前記受信機はまた、前記ソースＩＤに関連付けられた装置において、前記受信されたチェックサムを計算するために使用された手順に関するインジケーションを受信するように構成された、請求項５７に記載の装置。
【請求項５９】
前記少なくとも１つの識別子は、グループＩＤを備え、
前記受信機はまた、前記グループＩＤに関連付けられた装置において、前記受信されたチェックサムを計算するために使用された手順に関するインジケーションを受信するように構成された、請求項４８に記載の装置。
【請求項６０】
前記第１の信号フィールドのために生成された別のチェックサムが、前記受信されたチェックサムと一致しない場合、前記第１の信号フィールドから前記第２の信号フィールドが生成される、請求項４８に記載の装置。
【請求項６１】
前記第３の回路はまた、前記生成されたチェックサムが、前記受信されたチェックサムと一致しない場合、前記装置による前記パケットのさらなる処理をディセーブルするように構成された、請求項４８に記載の装置。
【請求項６２】
通信のための方法であって、
チェックサムを備えた第１の信号フィールドを備えるパケットを受信することと、
前記第１の信号フィールドを変更することにより第２の信号フィールドを定義することと、ここで、前記変更は、少なくとも１つの識別子に基づく、
前記第２の信号フィールドのためのチェックサムを生成することと、
前記生成されたチェックサムを、前記受信されたチェックサムと比較することと、
前記生成されたチェックサムが、前記受信されたチェックサムと一致する場合、前記パケットが、前記少なくとも１つの識別子に関連付けられていると判定することと、
を備える方法。
【請求項６３】
前記変更中に修正された前記第１の信号フィールドのビットの位置は、前記少なくとも１つの識別子に基づいて判定される、請求項６２に記載の方法。
【請求項６４】
前記第２の信号フィールドを定義することは、前記第１の信号フィールドに、前記少なくとも１つの識別子を挿入することを備える、請求項６２に記載の方法。
【請求項６５】
前記第２の信号フィールドを定義することは、前記第１の信号フィールドの少なくとも１つのビットと、前記少なくとも１つの識別子の少なくとも１つのビットとの間で、ＸＯＲ演算を実行することを備える、請求項６２に記載の方法。
【請求項６６】
前記第２の信号フィールドを定義することは、
前記第１の信号フィールドを複数のサブ・フィールドに分割することと、
前記複数のサブ・フィールドのうちの１または複数におけるビットを変更することと
を備える、請求項６２に記載の方法。
【請求項６７】
前記複数のサブ・フィールドは、第１の変更されていないサブ・フィールドと、第２の変更されていないサブ・フィールドとを備え、
前記第１の変更されていないサブ・フィールドのサイズ、または、前記第２の変更されていないサブ・フィールドのサイズのうちの少なくとも１つは、前記少なくとも１つの識別子に基づく、請求項６６に記載の方法。
【請求項６８】
前記第１の変更されていないサブ・フィールドのサイズ、または、前記第２の変更されていないサブ・フィールドのサイズのうちの少なくとも１つのシグナリングを受信すること、をさらに備える請求項６７に記載の方法。
【請求項６９】
前記第２の信号フィールドを定義することは、前記少なくとも１つの識別子に基づいて前記第１の信号フィールドのビットをスクランブルすることを備える、請求項６２に記載の方法。
【請求項７０】
前記変更に関連するシグナリング情報を受信することと、
前記シグナリング情報に基づいて、前記第２の信号フィールドを定義することと、
をさらに備える請求項６２に記載の方法。
【請求項７１】
前記少なくとも１つの識別子は、ソースＩＤまたは宛先ＩＤのうちの少なくとも１つを備える、請求項６２に記載の方法。
【請求項７２】
前記ソースＩＤに関連付けられた装置において、前記受信されたチェックサムを計算するために使用された手順に関するインジケーションを受信すること、をさらに備える請求項７１に記載の方法。
【請求項７３】
前記少なくとも１つの識別子は、グループＩＤを備え、
前記方法はさらに、前記グループＩＤに関連付けられた装置において、前記受信されたチェックサムを計算するために使用された手順に関するインジケーションを受信すること、をさらに備える請求項６２に記載の方法。
【請求項７４】
前記第１の信号フィールドのために生成された別のチェックサムが、前記受信されたチェックサムに一致しない場合、前記第１の信号フィールドから前記第２の信号フィールドが生成される、請求項６２に記載の方法。
【請求項７５】
前記生成されたチェックサムが、前記受信されたチェックサムと一致しない場合、前記パケットのさらなる処理をディセーブルすること、をさらに備える請求項６２に記載の方法。
【請求項７６】
通信のための装置であって、
チェックサムを備えた第１の信号フィールドを備えるパケットを受信する手段と、
前記第１の信号フィールドを変更することにより第２の信号フィールドを定義する手段と、ここで、前記変更は、少なくとも１つの識別子に基づく、
前記第２の信号フィールドのためのチェックサムを生成する手段と、
前記生成されたチェックサムを、前記受信されたチェックサムと比較する手段と、
前記生成されたチェックサムが、前記受信されたチェックサムと一致する場合、前記パケットが、前記少なくとも１つの識別子に関連付けられていると判定する手段と、
を備える装置。
【請求項７７】
前記変更中に修正された前記第１の信号フィールドのビットの位置は、前記少なくとも１つの識別子に基づいて判定される、請求項７６に記載の装置。
【請求項７８】
前記第１の信号フィールドに、前記少なくとも１つの識別子を挿入し、前記第２の信号フィールドを定義する手段、をさらに備える請求項７６に記載の装置。
【請求項７９】
前記第１の信号フィールドの少なくとも１つのビットと、前記少なくとも１つの識別子の少なくとも１つのビットとの間で、ＸＯＲ演算を実行し、前記第２の信号フィールドを定義する手段、をさらに備える請求項７６に記載の装置。
【請求項８０】
前記第１の信号フィールドを複数のサブ・フィールドに分割する手段と、
前記複数のサブ・フィールドのうちの１または複数におけるビットを変更する手段と、
をさらに備える請求項７６に記載の装置。
【請求項８１】
前記複数のサブ・フィールドは、第１の変更されていないサブ・フィールドと、第２の変更されていないサブ・フィールドとを備え、
前記第１の変更されていないサブ・フィールドのサイズ、または、前記第２の変更されていないサブ・フィールドのサイズのうちの少なくとも１つは、前記少なくとも１つの識別子に基づく、請求項８０に記載の装置。
【請求項８２】
前記受信する手段はさらに、前記第１の変更されていないサブ・フィールドのサイズ、または、前記第２の変更されていないサブ・フィールドのサイズのうちの少なくとも１つのシグナリングを受信するように構成された、請求項８１に記載の装置。
【請求項８３】
前記少なくとも１つの識別子に基づいて前記第１の信号フィールドのビットをスクランブルして、前記第２の信号フィールドを定義する手段、をさらに備える請求項７６に記載の装置。
【請求項８４】
前記受信する手段はさらに、前記変更に関連するシグナリング情報を受信するように構成され、
前記装置はさらに、前記シグナリング情報に基づいて、前記第２の信号フィールドを定義する手段を備える請求項７６に記載の装置。
【請求項８５】
前記少なくとも１つの識別子は、ソースＩＤまたは宛先ＩＤのうちの少なくとも１つを備える、請求項７６に記載の装置。
【請求項８６】
前記受信する手段はさらに、前記ソースＩＤに関連付けられた装置において、前記受信されたチェックサムを計算するために使用された手順に関するインジケーションを受信するように構成された、請求項８５に記載の装置。
【請求項８７】
前記少なくとも１つの識別子は、グループＩＤを備え、
前記受信する手段はさらに、前記グループＩＤに関連付けられた装置において、前記受信されたチェックサムを計算するために使用された手順に関するインジケーションを受信するように構成された、請求項７６に記載の装置。
【請求項８８】
前記第１の信号フィールドのために生成された別のチェックサムが、前記受信されたチェックサムに一致しない場合、前記第１の信号フィールドから前記第２の信号フィールドが生成される、請求項７６に記載の装置。
【請求項８９】
前記生成されたチェックサムが、前記受信されたチェックサムと一致しない場合、前記装置による前記パケットのさらなる処理をディセーブルする手段、をさらに備える請求項７６に記載の装置。
【請求項９０】
通信のためのコンピュータ・プログラム製品であって、
チェックサムを備えた第１の信号フィールドを備えるパケットを受信することと、
前記第１の信号フィールドを変更することにより第２の信号フィールドを定義することと、ここで、前記変更は、少なくとも１つの識別子に基づく、
前記第２の信号のフィールドのためのチェックサムを生成することと、
前記生成されたチェックサムを、前記受信されたチェックサムと比較することと、
前記生成されたチェックサムが、前記受信されたチェックサムと一致する場合、前記パケットが、前記少なくとも１つの識別子に関連付けられていると判定することと、
を実行可能な命令群を備えるコンピュータ読取可能な媒体を備える、コンピュータ・プログラム製品。
【請求項９１】
アクセス端末であって、
少なくとも１つのアンテナと、
チェックサムを備えた第１の信号フィールドを備えるパケットを、前記少なくとも１つのアンテナを介して受信するように構成された受信機と、
前記第１の信号フィールドを変更することにより第２の信号フィールドを定義するように構成された第１の回路と、ここで、前記変更は、少なくとも１つの識別子に基づく、
前記第２の信号のフィールドのためのチェックサムを生成するように構成された第２の回路と、
前記生成されたチェックサムを、前記受信されたチェックサムと比較し、前記生成されたチェックサムが、前記受信されたチェックサムと一致する場合、前記パケットが、前記少なくとも１つの識別子に関連付けられていると判定するように構成された第３の回路と、
を備えるアクセス端末。
【発明の詳細な説明】
【優先権主張】
【０００１】
本特許出願は、本願の譲受人に譲渡され、本明細書において参照によって明確に組み込まれている２０１０年７月１６日出願の「プリアンブルの信号フィールドを用いることによる省電力」（Saving power by using signal field of preamble）と題された仮特許出願６１／３６５，１２６号の利益を要求する。
【技術分野】
【０００２】
本開示のある態様は、一般に、無線通信に関し、さらに詳しくは、送信プリアンブルの信号フィールド・ビットを用いる、超高スループット（ＶＨＴ）無線システムにおける省電力のための方法および装置に関する。
【背景技術】
【０００３】
無線通信システムのために要求される帯域幅要件が増加する問題に対処するために、複数のユーザ端末が、チャネル・リソースを共有することによって、高データ・スループットを達成しながら、単一のアクセス・ポイントと通信することを可能にするための、異なるスキームが開発されている。複数入力複数出力（ＭＩＭＯ）技術は、次世代通信システムのためのポピュラーな技術として最近現れたこのような１つのアプローチを表す。ＭＩＭＯ技術は、例えば電気電子学会（ＩＥＥＥ）８０２．１１規格のようないくつかの新興の無線通信規格に採用された。ＩＥＥＥ  ８０２．１１は、短距離通信（例えば、数１０メートルから数１００メートル）のためにＩＥＥＥ  ８０２．１１委員会によって開発された無線ローカル・エリア・ネットワーク（ＷＬＡＮ）エア・インタフェース規格のセットを示す。
【０００４】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。
【０００５】
単一のアクセス・ポイント（ＡＰ）と複数のユーザ局（ＳＴＡ）とを備える無線ネットワークでは、アップリンク方向とダウンリンク方向との両方において、複数のチャネルにおいて、異なる局への同時送信が生じうる。このようなシステムには、多くのチャレンジがある。
【発明の概要】
【０００６】
本開示のある態様は、通信のための装置を提供する。この装置は、一般に、第２の信号フィールドを変更することにより、第１の信号フィールドを定義するように構成された第１の回路と、ここで、この変更は、少なくとも１つの識別子に基づく、第１の信号フィールドのためのチェックサムを生成するように構成された第２の回路と、第１の信号フィールドのために生成されたチェックサムを備えた第２の信号フィールドを備えるパケットを送信するように構成された送信機と、を含む。
【０００７】
本開示のある態様は、通信のための方法を提供する。この方法は一般に、第２の信号フィールドを変更することにより、第１の信号フィールドを定義することと、ここで、この変更は、少なくとも１つの識別子に基づく、第１の信号フィールドのためのチェックサムを生成することと、第１の信号フィールドのために生成されたチェックサムを備えた第２の信号フィールドを備えるパケットを送信することと、を含む。
【０００８】
本開示のある態様は、通信のための装置を提供する。この装置は一般に、第２の信号フィールドを変更することにより、第１の信号フィールドを定義する手段と、ここで、この変更は、少なくとも１つの識別子に基づく、第１の信号フィールドのためのチェックサムを生成する手段と、第１の信号フィールドのために生成されたチェックサムを備えた第２の信号フィールドを備えるパケットを送信する手段と、を含む。
【０００９】
本開示のある態様は、通信のためのコンピュータ・プログラム製品を提供する。このコンピュータ・プログラム製品は、第２の信号フィールドを変更することにより、第１の信号フィールドを定義することと、ここで、この変更は、少なくとも１つの識別子に基づく、第１の信号フィールドのためのチェックサムを生成することと、第１の信号フィールドのために生成されたチェックサムを備えた第２の信号フィールドを備えるパケットを送信することと、を実行可能な命令群を備えるコンピュータ読取可能な媒体を含む。
【００１０】
本開示のある態様は、アクセス・ポイントを提供する。アクセス・ポイントは一般に、少なくとも１つのアンテナと、第２の信号フィールドを変更することにより、第１の信号フィールドを定義するように構成された第１の回路と、ここで、この変更は、少なくとも１つの識別子に基づく、第１の信号フィールドのためのチェックサムを生成するように構成された第２の回路と、第１の信号フィールドのために生成されたチェックサムを備えた第２の信号フィールドを備えるパケットを送信するように構成された送信機と、を含む。
【００１１】
本開示のある態様は、通信のための装置を提供する。この装置は一般に、チェックサムを備えた第１の信号フィールドを備えるパケットを受信するように構成された受信機と、第１の信号フィールドを変更することにより第２の信号フィールドを定義するように構成された第１の回路と、ここで、この変更は、少なくとも１つの識別子に基づく、第２の信号フィールドのためのチェックサムを生成するように構成された第２の回路と、生成されたチェックサムを、受信されたチェックサムと比較し、生成されたチェックサムが、受信されたチェックサムと一致する場合、パケットが、少なくとも１つの識別子に関連付けられていると判定するように構成された第３の回路とを含む。
【００１２】
本開示のある態様は、通信のための方法を提供する。この方法は一般に、チェックサムを備えた第１の信号フィールドを備えるパケットを受信することと、第１の信号フィールドを変更することにより第２の信号フィールドを定義することと、ここで、この変更は、少なくとも１つの識別子に基づく、第２の信号フィールドのためのチェックサムを生成することと、生成されたチェックサムを、受信されたチェックサムと比較することと、生成されたチェックサムが、受信されたチェックサムと一致する場合、パケットが、少なくとも１つの識別子に関連付けられていると判定することと、を含む。
【００１３】
本開示のある態様は、通信のための装置を提供する。この装置は一般に、チェックサムを備えた第１の信号フィールドを備えるパケットを受信する手段と、第１の信号フィールドを変更することにより第２の信号フィールドを定義する手段と、ここで、この変更は、少なくとも１つの識別子に基づく、第２の信号フィールドのためのチェックサムを生成する手段と、生成されたチェックサムを、受信されたチェックサムと比較する手段と、生成されたチェックサムが、受信されたチェックサムと一致する場合、パケットが、少なくとも１つの識別子に関連付けられていると判定する手段と、を含む。
【００１４】
本開示のある態様は、通信のためのコンピュータ・プログラム製品を提供する。このコンピュータ・プログラム製品は、チェックサムを備えた第１の信号フィールドを備えるパケットを受信することと、第１の信号フィールドを変更することにより第２の信号フィールドを定義することと、ここで、この変更は、少なくとも１つの識別子に基づく、第２の信号フィールドのためのチェックサムを生成することと、生成されたチェックサムを、受信されたチェックサムと比較することと、生成されたチェックサムが、受信されたチェックサムと一致する場合、パケットが、少なくとも１つの識別子に関連付けられていると判定することと、が実行可能な命令群を備えるコンピュータ読取可能な媒体を含む。
【００１５】
本開示のある態様は、アクセス端末を提供する。アクセス端末は一般に、少なくとも１つのアンテナと、チェックサムを備えた第１の信号フィールドを備えるパケットを、少なくとも１つのアンテナを介して受信するように構成された受信機と、第１の信号フィールドを変更することにより第２の信号フィールドを定義するように構成された第１の回路と、ここで、この変更は、少なくとも１つの識別子に基づく、第２の信号フィールドのためのチェックサムを生成するように構成された第２の回路と、生成されたチェックサムを、受信されたチェックサムと比較し、生成されたチェックサムが、受信されたチェックサムと一致する場合、パケットが、少なくとも１つの識別子に関連付けられていると判定するように構成された第３の回路と、を含む。
【図面の簡単な説明】
【００１６】
本開示の上述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても適合するので、添付図面は、本開示のある典型的な態様のみを示していることや、この範囲を限定するものとしては考慮されないことが注目されるべきである。
【図１】図１は、本開示のある態様にしたがう無線通信ネットワークの図解を例示する。
【図２】図２は、本開示のある態様にしたがうアクセス・ポイントおよびユーザ端末の例のブロック図を例示する。
【図３】図３は、本開示のある態様にしたがう無線デバイスの例のブロック図を例示する。
【図４】図４は、本開示のある態様にしたがう、物理レイヤ・プロトコル・データ・ユニット（ＰＰＤＵ）の送信プリアンブルおよびデータの構造の例を例示する。
【図５】図５は、本開示のある態様にしたがって、宛先識別子またはソース識別子のうちの少なくとも１つを加えられたプリアンブルの信号フィールドの巡回冗長検査（ＣＲＣ）サムを計算するための手順の例を例示する。
【図６】図６は、本開示のある態様にしたがって、送信機デバイスにおいて実行されうる動作の例を例示する。
【図６Ａ】図６Ａは、図６に図示された動作を実行することが可能な構成要素の例を図示する。
【図７】図７は、本開示のある態様にしたがって、受信機デバイスにおいて実行されうる動作の例を例示する。
【図７Ａ】図７Ａは、図７に図示された動作を実行することが可能な構成要素の例を図示する。
【発明を実施するための形態】
【００１７】
本開示のさまざまな態様は、添付図面を参照して以下により十分に記載される。しかしながら、本開示は、異なる多くの形態で具体化され、本開示を通じて示されたどの具体的な構成または機能にも限定されるものとは解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００１８】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。
【００１９】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００２０】
（典型的な無線通信システム）  
本明細書に記載された技術は、直交多重化スキームに基づく通信システムを含むさまざまなブロードバンド無線通信システムのために使用される。このような通信システムの例は、空間分割多元接続（ＳＤＭＡ）システム、時分割多元接続（ＴＤＭＡ）システム、直交周波数分割多元接続（ＯＦＤＭＡ）システム、シングル・キャリア周波数分割多元接続（ＳＣ−ＦＤＭＡ）システム等を含んでいる。ＳＤＭＡシステムは、複数のユーザ端末に属するデータを同時に送信するために、十分に異なる方向を利用しうる。ＴＤＭＡシステムによって、複数のユーザ端末は、送信信号を複数の異なる時間スロットに分割することによって、同じ周波数チャネルを共有できるようになる。ここで、おのおのの時間スロットは、異なるユーザ端末に割り当てられる。ＴＤＭＡシステムは、ＧＳＭ（登録商標）、または、当該技術分野で周知のその他の規格を実施しうる。ＯＦＤＭＡシステムは、直交周波数分割多重（ＯＦＤＭ）を利用する。これは、システム帯域幅全体を、複数の直交サブ・キャリアへ分割する変調技術である。これらサブ・キャリアはまた、トーン、ビン等とも称されうる。各サブ・キャリアは、ＯＦＤＭを用いて、データと独立して変調される。ＯＦＤＭシステムは、ＩＥＥＥ  ８０２．１１、または、当該技術分野で周知のその他の規格を実施しうる。ＳＣ−ＦＤＭＡシステムは、システム帯域幅にわたって分散されたサブ・キャリアで送信するインタリーブＦＤＭＡ（ＩＦＤＭＡ）、隣接するサブ・キャリアのブロックで送信するローカライズドＦＤＭＡ（ＬＦＤＭＡ）、あるいは、隣接するサブ・キャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。ＳＣ−ＦＤＭＡシステムは、３ＧＰＰ−ＬＴＥ（第３世代パートナシップ計画ロング・ターム・イボリューション）、または、当該技術分野で周知のその他の規格を実施しうる。
【００２１】
本明細書に記載された教示は、さまざまな有線装置または無線装置（例えば、ノード）へ組み込まれうる（例えば、これら内で実行されるか、これらによって実施される）。いくつかの態様では、ノードは、無線ノードを備える。このような無線ノードは、例えば、有線または無線による通信リンクによる（例えば、インターネットまたはセルラ・ネットワークのような広域ネットワークのような）ネットワークへの、または、ネットワークのための接続を提供しうる。いくつかの態様では、本明細書における教示したがって実施される無線ノードは、アクセス・ポイントまたはアクセス端末を備えうる。
【００２２】
アクセス・ポイント（“ＡＰ”）は、ノードＢ、ラジオ・ネットワーク・コントローラ（“ＲＮＣ”）、ｅノードＢ、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。いくつかの実施では、アクセス・ポイントは、セット・トップ・ボックス・キオスク、メディア・センタ、または、無線媒体または有線媒体によって通信するように構成されたその他任意の適切なデバイスを備えうる。本開示のある態様によれば、アクセス・ポイントは、無線通信規格の電気電子学会（ＩＥＥＥ）８０２．１１体系にしたがって動作しうる。
【００２３】
例えば、アクセス端末（“ＡＴ”）は、アクセス端末、加入者局、加入者ユニット、移動局、遠隔局、遠隔端末、ユーザ端末、ユーザ・エージェント、ユーザ・デバイス、ユーザ機器、ユーザ局、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、タブレット、エンタティメント・デバイス（例えば、音楽またはビデオ・デバイス、または衛星ラジオ）、テレビ・ディスプレイ、フリップ・カム、セキュリティ・ビデオカメラ、デジタル・ビデオ・レコーダ（ＤＶＲ）、全地球測位システム・デバイス、あるいは無線媒体または有線媒体によって通信するように構成されたその他任意の適切なデバイスに組み入れられうる。本開示のある態様によれば、アクセス端末は、無線通信規格のＩＥＥＥ  ８０２．１１体系にしたがって動作しうる。
【００２４】
図１は、アクセス・ポイントおよびユーザ端末を備えた多元接続複数入力複数出力（ＭＩＭＯ）システム１００を例示する。簡略のために、図１には、１つのアクセス・ポイント１１０だけしか示されていない。アクセス・ポイントは、一般に、ユーザ端末と通信する固定局であり、基地局、またはその他いくつかの用語でも称されうる。ユーザ端末は、据置式または移動式であり、移動局、無線デバイス、またはその他いくつかの用語でも称されうる。アクセス・ポイント１１０は、ダウンリンクおよびアップリンクにおいて、所与の瞬間において、１または複数のユーザ端末１２０と通信しうる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末はまた、別のユーザ端末とピア・トゥ・ピアを通信しうる。システム・コントローラ１３０は、アクセス・ポイントに接続しており、アクセス・ポイントのための調整および制御を与える。
【００２５】
ある開示のために、後述する説明の一部は、空間分割多元接続で通信することが可能なユーザ端末１２０を説明しているが、ユーザ端末１２０はまた、ＳＤＭＡをサポートしないいくつかのユーザ端末をも含みうる。したがって、このような態様のために、ＡＰ１１０は、ＳＤＭＡユーザ端末と非ＳＤＭＡユーザ端末との両方と通信するように構成されうる。このアプローチによって、便利なことに、古いバージョンのユーザ端末（「レガシー」局）は、エンタープライズ内に引き続き配置され、有用な寿命を延ばすことができるようになるとともに、新たなＳＤＭＡユーザ端末が、適切なものとみなされて導入されるようになる。
【００２６】
システム１００は、ダウンリンクおよびアップリンクにおけるデータ送信のために複数の送信アンテナおよび複数の受信アンテナを適用する。アクセス・ポイント１１０は、Ｎａｐ個のアンテナを装備しており、ダウンリンク送信のための複数の入力（ＭＩ）と、アップリンク送信のための複数の出力（ＭＯ）とを示す。Ｋ個の選択されたユーザ端末１２０のセットは、集合的に、ダウンリンク送信のための複数の出力と、アップリンク送信のための複数の入力とを示す。純粋なＳＤＭＡの場合、Ｋ個のユーザ端末のためのデータ・シンボル・ストリームが、ある手段によって、符号、周波数、または時間で多重化されていない場合、Ｎａｐ≧Ｋ≧１を有することが望まれる。データ・シンボル・ストリームが、ＴＤＭＡ技術を用いて、ＣＤＭＡで異なる符号チャネルを用いて、ＯＦＤＭでサブ帯域の別のセットを用いて、等で多重化されうるのであれば、Ｋは、Ｎａｐよりも大きくなりうる。選択された各ユーザ端末は、ユーザ特有データをアクセス・ポイントへ送信するか、および／または、ユーザ特有データをアクセス・ポイントから受信する。一般に、選択されたユーザ端末はそれぞれ、１または複数のアンテナ（つまり、Ｎｕｔ≧１）を装備しうる。Ｋ個の選択されたユーザ端末は、同じまたは異なる数のアンテナを有しうる。
【００２７】
ＳＤＭＡシステム１００は、時分割デュプレクス（ＴＤＤ）システムまたは周波数分割デュプレクス（ＦＤＤ）システムをサポートしうる。ＴＤＤシステムの場合、ダウンリンクおよびアップリンクは、同じ周波数帯域を共有する。ＦＤＤシステムの場合、ダウンリンクおよびアップリンクは、異なる周波数帯を使用する。ＭＩＭＯシステム１００はさらに、送信のために単一のキャリアまたは複数のキャリアを利用しうる。ユーザ端末はそれぞれ、（例えば、コスト・ダウンを維持するために）単一アンテナを、あるいは、（例えば、追加コストが支援されうる場合）複数アンテナを装備しうる。ユーザ端末１２０が、送信／受信を、別の時間スロットに分割することによって、同じ周波数チャネルを共有する場合、システム１００は、ＴＤＭＡシステムでもありうる。ここで、おのおのの時間スロットは、異なるユーザ端末１２０に割り当てられる。
【００２８】
図２は、ＭＩＭＯシステム１００におけるアクセス・ポイント１１０と２つのユーザ端末１２０ｍ，１２０ｘのブロック図を例示する。アクセス・ポイント１１０は、Ｎｔ個のアンテナ２２４ａ乃至２２４ｔを装備している。ユーザ端末１２０ｍは、Ｎｕｔ，ｍ個のアンテナ２５２ｍａ乃至２５２ｍｕを装備し、ユーザ端末１２０ｘは、Ｎｕｔ，ｘ個のアンテナ２５２ｘａ乃至２５２ｘｕを装備している。アクセス・ポイント１１０は、ダウンリンクのための送信エンティティ、およびアップリンクのための受信エンティティである。ユーザ端末１２０はそれぞれ、アップリンクのための送信エンティティ、およびダウンリンクのための受信エンティティである。本明細書で使用されるように、「送信エンティティ」は、無線チャネルを介してデータを送信することが可能な、独立して動作する装置またはデバイスであり、「受信エンティティ」は、無線チャネルを介してデータを受信することが可能な、独立して動作する装置またはデバイスである。後述する説明では、添字“ｄｎ”はダウンリンクを示し、添字“ｕｐ”はアップリンクを示し、Ｎｕｐ個のユーザ端末が、アップリンクにおける同時通信のために選択され、Ｎｄｎ個のユーザ端末が、ダウンリンクにおける同時通信のために選択され、Ｎｕｐは、Ｎｄｎに等しい場合も、等しくない場合もあり、ＮｕｐおよびＮｄｎは、固定値であることも、各スケジューリング・インタバルについて変動する場合もありうる。ビーム・ステアリングまたはその他のある空間処理技術が、アクセス・ポイントおよびユーザ端末において使用されうる。
【００２９】
アップリンクでは、アップリンク送信のために選択された各ユーザ端末１２０において、ＴＸデータ・プロセッサ２８８が、データ・ソース２８６からトラフィック・データを、コントローラ２８０から制御データを受け取る。ＴＸデータ・プロセッサ２８８は、ユーザ端末のために選択されたレートに関連付けられた符号化スキームおよび変調スキームに基づいて、ユーザ端末のためのトラフィック・データを処理（例えば、符号化、インタリーブ、および変調）し、データ・シンボル・ストリームを提供する。ＴＸ空間プロセッサ２９０は、データ・シンボル・ストリームについて空間処理を実行し、Ｎｕｔ，ｍ個のアンテナのために、Ｎｕｔ，ｍ個の送信シンボルを提供する。各送信機ユニット（ＴＭＴＲ）２５４は、それぞれの送信シンボル・ストリームを受信して処理（例えば、アナログ変換、増幅、フィルタ、および周波数アップコンバート）し、アップリンク信号を生成する。Ｎｕｔ，ｍ個の送信機ユニット２５４は、Ｎｕｔ，ｍ個のアンテナ２５２からアクセス・ポイントへ送信のために、Ｎｕｔ，ｍ個のアップリンク信号を提供する。
【００３０】
Ｎｕｐ個のユーザ端末は、アップリンクにおける同時通信のためにスケジュールされうる。これらユーザ端末の各々は、データ・シンボル・ストリームについて空間処理を実行し、送信シンボル・ストリームのセットを、アップリンクで、アクセス・ポイントへ送信する。
【００３１】
アクセス・ポイント１１０では、Ｎａｐ個のアンテナ２２４ａ乃至２２４ａｐが、アップリンクで送信しているＮｕｐ個すべてのユーザ端末から、アップリンク信号を受信する。各アンテナ２２４は、受信した信号を、それぞれの受信機ユニット（ＲＣＶＲ）２２２に提供する。各受信機ユニット２２２は、送信機ユニット２５４によって実行されるものに対して相補的な処理を実行し、受信したシンボル・ストリームを提供する。ＲＸ空間プロセッサ２４０は、Ｎａｐ個の受信機ユニット２２２から受信したＮａｐ個のシンボル・ストリームについて受信機空間処理を実行し、復元されたＮａｐ個のアップリンク・データ・シンボル・ストリームを提供する。受信機空間処理は、チャネル相関行列変換（ＣＣＭＩ）、最小平均平方誤差（ＭＭＳＥ）、ソフト干渉除去（ＳＩＣ）、またはその他いくつかの技術にしたがって実行される。復号された各アップリンク・データ・シンボル・ストリームは、それぞれのユーザ端末によって送信されたデータ・シンボル・ストリームの推定値である。ＲＸデータ・プロセッサ２４２は、復号されたデータを取得するためにそのストリームのために使用されたレートにしたがって、復号されたアップリンク・データ・シンボル・ストリームを処理（例えば、復調、デインタリーブ、および復号）する。各ユーザ端末の復号されたデータは、格納のためにデータ・シンク２４４へ、および／または、さらなる処理のためにコントローラ２３０へ提供されうる。
【００３２】
ダウンリンクでは、アクセス・ポイント１１０において、ＴＸデータ・プロセッサ２１０が、ダウンリンク送信のためにスケジュールされたＮｄｎ個のユーザ端末のためのトラフィック・データをデータ・ソース２０８から、制御データをコントローラ２３０から、そして、恐らくは、その他のデータをスケジューラ２３４から受信する。さまざまなタイプのデータが、異なる伝送チャネルで送信されうる。ＴＸデータ・プロセッサ２１０は、そのユーザ端末のために選択されたレートに基づいて、各ユーザ端末のためのトラフィック・データを処理（例えば、符号化、インタリーブ、および変調）する。ＴＸデータ・プロセッサ２１０は、Ｎｄｎ個のユーザ端末のためにＮｄｎ個のダウンリンク・データ・シンボル・ストリームを提供する。ＴＸ空間プロセッサ２２０は、Ｎｄｎ個のダウンリンク・データ・シンボル・ストリームについて（例えば、本開示で説明されるようなプリコーディングまたはビームフォーミングのような）空間処理を実行し、Ｎａｐ個のアンテナのためにＮａｐ個の送信シンボル・ストリームを提供する。各送信機ユニット２２２はそれぞれ、ダウンリンク信号を生成するために、それぞれの送信シンボル・ストリームを受信して処理する。Ｎａｐ個の送信機ユニット２２２は、Ｎａｐ個のアンテナ２２４からユーザ端末への送信のためのダウンリンク信号を提供する。
【００３３】
各ユーザ端末１２０では、Ｎｕｔ，ｍ個のアンテナ２５２が、アクセス・ポイント１１０からＮａｐ個のダウンリンク信号を受信する。各受信機ユニット２５４は、関連するアンテナ２５２からの受信信号を処理し、受信シンボル・ストリームを提供する。ＲＸ空間プロセッサ２６０は、Ｎｕｔ，ｍ個の受信ユニット２５４からのＮｕｔ，ｍ個の受信シンボル・ストリームについて受信機空間処理を実行し、ユーザ端末のために復元されたダウンリンク・データ・シンボル・ストリームを提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００３４】
各ユーザ端末１２０では、チャネル推定器２７８が、ダウンリンク・チャネル応答を推定し、ダウンリンク・チャネル推定値を提供する。これは、チャネル・ゲイン推定値、ＳＮＲ推定値、ノイズ分散等を含みうる。同様に、チャネル推定器２２８は、アップリンク・チャネル応答を推定し、アップリンク・チャネル推定値を提供する。各ユーザ端末のコントローラ２８０は、一般に、ユーザ端末のためのダウンリンク・チャネル応答行列Ｈｄｎ，ｍに基づいて、ユーザ端末のための空間フィルタ行列を導出する。コントローラ２３０は、実効的なアップリンク・チャネル応答行列Ｈｕｐ，ｅｆｆに基づいて、アクセス・ポイントのための空間フィルタ行列を導出する。各ユーザ端末のコントローラ２８０は、アクセス・ポイントへフィードバック情報（例えば、ダウンリンクおよび／またはアップリンクの固有ベクトル、固有値、ＳＮＲ推定値等）を送信しうる。コントローラ２３０，２８０はさらに、アクセス・ポイント１１０およびユーザ端末１２０それぞれにおけるさまざまな処理ユニットの動作を制御する。
【００３５】
本開示のある態様によれば、ユーザ端末１２０が、他のユーザ端末に向けられた受信パケットに関する早期の復号を停止することを保証することによってユーザ端末１２０によって使用される電力を低減することは、有利でありうる。ユーザ端末１２０における復号処理の早期停止を保証するために、宛先識別子および／またはソース識別子が、例えば、プリアンブルの信号（ＳＩＧ）フィールド内に格納されうる。プリアンブルは、パケット（フレーム）内で、ＡＰ１１０から複数のユーザ端末１２０へ送信されうる。したがって、複数のユーザ端末のユーザ端末１２０は、単に、受信したプリアンブルをチェックすることによって、パケットがそのユーザ端末に向けられているのか否かを判定しうる。
【００３６】
図３は、無線通信システム１００内で適用されうる無線デバイス３０２内で利用されうるさまざまな構成要素を示す。無線デバイス３０２は、本明細書で説明されるさまざまな方法を実施するために構成され得るデバイスの例である。無線デバイス３０２は、アクセス・ポイント１１０でありうるか、または、ユーザ端末１２０のうちの何れかでありうる。
【００３７】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００３８】
無線デバイス３０２は、無線デバイス３０２と遠隔位置との間でのデータの送信および受信を可能にする送信機３１０および受信機３１２を含みうるハウジング３０８をも含みうる。送信機３１０および受信機３１２は、トランシーバ３１４に結合されうる。単一あるいは複数の送信アンテナ３１６が、ハウジング３０８に取り付けられ、トランシーバ３１４に電気的に接続されうる。無線デバイス３０２はまた、（図示しない）複数の送信機、複数の受信機、および複数のトランシーバを含みうる。
【００３９】
無線デバイス３０２は、トランシーバ３１４によって受信された信号を検出し、そのレベルを定量化する目的で使用される信号検出器３１８をも含むことができる。信号検出器３１８は、合計エネルギ、シンボル毎のサブ・キャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００４０】
無線デバイス３０２のさまざまな構成要素が、データ・バスに加えて電力バス、制御信号バス、およびステータス信号バスを含むことができるバス・システム３２２によってともに結合されうる。
【００４１】
図１に例示された無線システム１００は、ＩＥＥＥ  ８０２．１１ａｃベースの無線通信システムに対応しうる。ＩＥＥＥ  ８０２．１１ａｃは、８０２．１１無線ネットワークにおけるより高いスループットを可能にする新たな８０２．１１修正を示す。例えば、一度に複数のユーザ端末（ＳＴＡ）へのパラレルな送信、または、より広いチャネル帯域幅（例えば、８０ＭＨｚまたは１６０ＭＨｚ）を用いることのようないくつかの手段によって、より高いスループットが実現されうる。ＩＥＥＥ  ８０２．１１ａｃは、超高スループット（ＶＨＴ）無線通信規格とも称される。
【００４２】
ＶＨＴ無線ネットワークでは、モバイル・デバイスが、他のモバイルＳＴＡに向けられたパケットに関する早期の復号を停止することを保証することによって、これらモバイル・デバイスによって使用される電力を低減することは、有利でありうる。受信ＳＴＡにおける復号処理の早期停止を保証するための１つの方法は、プリアンブルのＳＩＧフィールド内の宛先識別子および恐らくはソース識別子を格納することでありえる。ここで、プリアンブルは、パケット（フレーム）内で、アクセス・ポイントから、複数のＳＴＡへ送信されうる。したがって、複数のＳＴＡのうちのＳＴＡは、単に、プリアンブルをチェックすることによって、パケットがＳＴＡへ向けられているのか否かを判定しうる。しかしながら、ソースおよび宛先にシグナルすることが必要な追加のビットが、高い送信オーバヘッドをもたらしうる。
【００４３】
本開示のある態様は、プリアンブルのＳＩＧフィールド内にすでに存在する巡回冗長検査（ＣＲＣ）フィールドを用いることによって、必要な識別子をシグナルするための低オーバヘッド方法をサポートする。
【００４４】
（送信フレームにおけるプリアンブルおよびデータの構造）  
図４は、本開示のある態様にしたがう、フレーム４００の構造の例を例示する。フレーム４００は、例えば、図１に例示するように、無線ネットワーク１００において、アクセス・ポイント１１０からユーザＳＴＡ１２０へ送信されうる。あるいは、フレーム４００は、ＳＴＡ１２０のうちの１つから、別のＳＴＡ１２０へ送信されうる。フレーム４００の送信は、例えば、無線通信規格のＩＥＥＥ  ８０２．１１体系に基づいて、ラジオ技術にしたがって実行されうる。
【００４５】
無線ローカル・エリア・ネットワーク（ＷＬＡＮ）では、パケット（例えばフレーム４００）を復号する処理は、いくつかのステップを備えうる。フレーム４００のレガシー・ショート・トレーミング・フィールド（Ｌ−ＳＴＦ）４０２は、１または複数のＳＴＡにおいて最初に受信され、自動利得制御（ＡＧＣ）設定のために使用されうる。その後、レガシー・ロング・トレーニング・フィールド（Ｌ−ＬＴＦ）４０４が受信されうる。Ｌ−ＬＴＦ４０４を受信することは、Ｌ−ＬＴＦ４０４に続きレガシー信号フィールド（Ｌ−ＳＩＧ）４０６が復号されうることを保証しうる。Ｌ−ＳＩＧフィールド４０６を受信することによって、フレーム４００のシンボルの送信が継続する。
【００４６】
Ｌ−ＳＩＧフィールド４０６に続いて、超高スループット信号フィールド・タイプＡ（すなわち、ＶＨＴ−ＳＩＧＡフィールド４０８）が受信されうる。このフィールドは、単一ユーザ（ＳＵ）送信の場合、ユーザＳＴＡに対して、専用の空間ストリームの数と、データのための変調−符号化スキーム（ＭＣＳ）とを通知するために必要なビットを提供しうる。
【００４７】
チャネル推定のために利用されうる超高スループット・ショート・トレーニング・フィールド（ＶＨＴ−ＳＴＦ）４１０と超高スループット・ロング・トレーニング・フィールド（ＶＨＴ−ＬＴＦ）４１２に続いて、ＳＴＡはさらに、複数ユーザ複数入力複数出力（ＭＵ−ＭＩＭＯ）送信に関連付けられたＶＨＴ−ＳＩＧＢフィールド４１４（超高スループット信号フィールド・タイプＢ）を受信しうる。このフィールドは、ＭＣＳおよび恐らくは長さ情報を、各宛先ＳＴＡへ個別に提供するために使用されうる。図４に例示されるように、データ４１６が、ＶＨＴ−ＳＩＧＢフィールド４１４に続きうる。
【００４８】
宛先ＳＴＡは、ＶＨＴ−ＳＩＧＡフィールド４０８またはＶＨＴ−ＳＩＧＢフィールド４１４のうちの少なくとも１つを正しく復号することに失敗した場合、復号処理を停止しうる。これらフィールドのＣＲＣサムが合格しない場合、受信しているＳＴＡは、受信したデータの空間ストリーム・インデクスおよびＭＣＳを判定することができないかもしれないことが注目されるべきである。したがって、意図された宛先ではないいくつかまたはすべての受信ＳＴＡにおいて、ＣＲＣエラーを強要することによって、ＳＴＡに向けられていないパケットをＳＴＡが復号するための電力を浪費しないことを保証することが可能でありうる。
【００４９】
（プリアンブルの信号（ＳＩＧ）フィールドを用いた省電力）  
送信パケット（フレーム）のプリアンブルのＳＩＧフィールド・ビットを用いる省電力の１つの方法は、意図された受信機および送信機において知られた識別子を用いてＳＩＧフィールド・ビット・シーケンスをスクランブルすることによって、意図された宛先を除くすべての宛先ＳＴＡにおける復号処理を停止させることでありうる。しかしながら、任意のスクランブラは、ＳＩＧフィールド内のビットの順序を変更しうるので、受信しているＳＴＡにおける復号処理を複雑にしうる。
【００５０】
本開示では、プリアンブル内のＳＩＧフィールド・ビットの順序を維持しうる方法が提案される。この方法は、送信されたパケットの意図された宛先ではないＳＴＡにおいて、ＣＲＣ失敗を強要しうる。
【００５１】
意図された宛先のみにおいて復号される必要のありうる単一ユーザ（ＳＵ）フレームの場合、宛先識別子（ＩＤ）またはソースＩＤのうちの少なくとも１つに加えられたプリアンブルのＶＨＴ−ＳＩＧＢフィールドまたはＶＨＴ−ＳＩＧＡフィールドのうちの少なくとも１つについて、ＣＲＣサムが計算されうる。すべての宛先において復号される必要のありうるフレーム（例えば、ブロードキャストされたフレーム、または、ネットワーク・アロケーション・ベクトル（ＮＡＶ）情報がすべてのＳＴＡへ通信される必要のありうるフレーム）について、ＣＲＣサムを計算するための現在の手順が利用されうる。
【００５２】
すべての宛先では、ＳＩＧフィールドの復号は、２つのステップを備えうる。受信されたＶＨＴ−ＳＩＧＡ／ＶＨＴ−ＳＩＧＢビットのためのＣＲＣサムが最初に計算され、次に、ＣＲＣが合格したか否かがチェックされうる。ＣＲＣが合格した場合、ＳＴＡは、受信したパケットを復号することに進みうる。一方、ＣＲＣが失敗した場合、受信したビットに、ソースＩＤまたは宛先ＩＤのうちの少なくとも１つを加えることによって、ＶＨＴ−ＳＩＧＡ／ＶＨＴ−ＳＩＧＢ  ＣＲＣサムを再計算しうる。新たなＣＲＣが合格すると、ＳＴＡは、このパケットを復号することに進みうる。そうではない場合、ＳＴＡは、復号処理を中止しうる。
【００５３】
送信ノード（例えば、アクセス・ポイント）においてソース識別子ビットまたは宛先識別子ビットのうちの少なくとも１つを加える１つの方法は、ＣＲＣサムを計算する前に、ソース識別子ビットおよび／または宛先識別子ビットをＳＩＧビットの前に加えるか、後に加えることでありうる。しかしながら、すべてのケースについて、固定位置においてソースＩＤまたは宛先ＩＤのうちの少なくとも１つを加えることによって、いくつかの宛先ＳＴＡにおいて、ＣＲＣサムが合格するようになる。なぜなら、ＣＲＣサム・ビットの数は少ないからである。例えば、このケースは、４ビットのＣＲＣサムを計算する前に、８ビットの宛先ＩＤが、後に加えられた場合であると考えられうる。この典型的な場合では、ＣＲＣサムが合格しうる場合、２８／２４の宛先ＩＤが存在しうる。したがって、省電力は、このような宛先ＳＴＡに対しては機能しない場合がありうる。
【００５４】
意図されない宛先においてＣＲＣが合格する可能性を低減するために、ソース識別子ビットまたは宛先識別子ビットのうちの少なくとも１つが、ＣＲＣサムを計算する前に、ＳＩＧフィールド・ビット内に挿入される位置は変動しうる。送信機ノードにおいて実行されうるこの手順の例が、図５に例示されている。
【００５５】
図５に例示されているように、（例えば、ある関数を用いて）宛先ＩＤまたはソースＩＤのうちの少なくとも１つに基づいて、パラメータＫ＜Ｎが選択されうる。ここで、プリアンブルのＳＩＧフィールド・ビット５０２は、合計Ｎビットを備えうる。ＳＩＧフィールド５０２のこれらＮビットは、Ｋビットと、Ｎ−Ｋビットとからなる２つのグループ（すなわち、図５に例示されるようなグループ５０４とグループ５０６）へ分割されうる。宛先識別子ビットおよび／またはソース識別子ビット５０８は、その後、最初のＫ個のビット５０４の後に挿入されうる。そして、Ｎ−Ｋ個の残りのビット５０６が、ＣＲＣサム５１０を計算する前に、このビット・シーケンスへ追加されうる。
【００５６】
受信機ＳＴＡでは、このＳＴＡは、送信機とＳＴＡ自身のＩＤにおいて使用される関数を適用することによって、ＳＴＡ  ＩＤビットまたはソースＩＤビットのうちの少なくとも１つを挿入する、前述した手順を反復しうる。計算されたＣＲＣサムが合格しない場合（すなわち、ＣＲＣサム５１０に等しくない場合）、ＳＴＡは、受信されたパケットを復号することを停止しうる。
【００５７】
宛先ＩＤビットまたはソースＩＤビットのうちの少なくとも１つを挿入する前述した手順はまた、ＳＩＧフィールド・ビットのその他の分割のために実行されうる。例えば、ＳＩＧフィールド・ビットは、可変サイズの３または４の部分に分割されうる。同様に、宛先ＩＤビットおよび／またはソースＩＤビットもまた、いくつかの部分に分割され、その後、ＣＲＣサムを計算する前に、ＳＩＧフィールドの分割間に挿入されうる。
【００５８】
提案されたスキームは、ＳＩＧフィールド・ビットの順序を維持しうることが注目されるべきである。本開示の１つの態様では、ＳＩＧフィールドのビットのうちの１つは、ＣＲＣサムが、ＳＩＧフィールド・ビットのみを用いて計算されているか、または、提案された追加方法を用いて計算されているかを示すために使用されうる。
【００５９】
図６は、本開示のある態様にしたがって、無線通信システムの送信機側（例えば、アクセス・ポイント）において実行されうる動作６００の例を例示する。６０２では、送信機は、第２の信号フィールドを変更することによって、第１の信号フィールドを定義しうる。この変更は、少なくとも１つの識別子に基づきうる。６０４では、第１の信号フィールドのためのチェックサムが生成されうる。６０６では、送信機は、第１の信号フィールドのために生成されたチェックサムを備えた第２の信号フィールドを備えるパケットを送信しうる。
【００６０】
変更中に修正された第２の信号フィールドのビットの位置は、少なくとも１つの識別子に基づいて判定されうる。本開示の１つの態様では、この変更は、第２の信号フィールドに、少なくとも１つの識別子を挿入し、第１の信号フィールドを定義することを備えうる。別の態様では、この変更は、第２の信号フィールドの少なくとも１つのビットと、少なくとも１つの識別子の少なくとも１つのビットとの間で、ＸＯＲ演算を実行することを備えうる。
【００６１】
また別の態様では、この変更は、第２の信号フィールドを複数のサブ・フィールドに分割することと、これらサブ・フィールドのうちの１または複数におけるビットを変更することと、を備えうる。複数のサブ・フィールドは、第１の変更されていないサブ・フィールドと、第２の変更されていないサブ・フィールドとを備え、第１の変更されていないサブ・フィールドのサイズ、または、第２の変更されていないサブ・フィールドのサイズのうちの少なくとも１つは、少なくとも１つの識別子に基づきうる。第１の変更されていないサブ・フィールドのサイズ、または、第２の変更されていないサブ・フィールドのサイズのうちの少なくとも１つは、少なくとも１つの識別子に関連付けられた装置に提供されうる。
【００６２】
本開示の１つの態様では、少なくとも１つの識別子は、ソースＩＤまたは宛先ＩＤのうちの少なくとも１つを備えうる。送信機ノードは、この変更に関連する情報を、宛先ＩＤに関連付けられた装置に提供しうる。さらに、送信機ノードは、この変更のために使用された手順を、宛先ＩＤに関連付けられた装置へ示しうる。
【００６３】
別の態様では、少なくとも１つの識別子は、グループＩＤを備えうる。送信機ノードは、この変更のために使用された手順を、グループＩＤに関連付けられた装置へ示しうる。
【００６４】
本開示の１つの態様では、無線通信規格のＩＥＥＥ  ８０２．１１体系にしたがって送信されたパケットのヘッダに、チェックサムが配置されうる。このヘッダは、パケットのサービス・フィールドを示しうる。
【００６５】
本開示のある態様の場合、第２の信号フィールドは、パケットのＶＨＴ−ＳＩＧＡフィールドまたはＶＨＴ−ＳＩＧＢフィールドのうちの少なくとも１つを備えうる。このパケットは、無線通信規格のＩＥＥＥ  ８０２．１１体系にしたがって送信されうる。
【００６６】
本開示のある態様の場合、少なくとも１つの識別子は、パケットを送信しているソース装置の関連付け識別子（ＡＩＤ）、宛先装置のＡＩＤ、または、ソース装置または宛先装置のうちの少なくとも１つにサービス提供するアクセス・ポイントの基本サービス・セット識別情報（ＢＳＳＩＤ）、のうちの少なくとも１つを備えうる。
【００６７】
図７は、本開示のある態様にしたがって、無線通信システムの受信機側（すなわち、ユーザＳＴＡまたはアクセス端末）で実行されうる動作７００の例を図示する。７０２では、ＳＴＡが、チェックサムを備えた第１の信号フィールドを備えるパケットを受信しうる。７０４では、ＳＴＡが、第１の信号フィールドを変更することにより第２の信号フィールドを定義しうる。この変更は、少なくとも１つの識別子に基づく。７０６では、第２の信号フィールドのために、別のチェックサムが生成されうる。７０８では、生成されたチェックサムが、受信されたチェックサムと比較されうる。７１０では、生成されたチェックサムが、受信されたチェックサムと一致する場合、ＳＴＡは、パケットが、少なくとも１つの識別子に関連付けられていると判定しうる。態様では、生成されたチェックサムが、受信されたチェックサムと一致しない場合、ＳＴＡによるパケットのさらなる処理がディセーブルされうる。
【００６８】
１つの態様では、少なくとも１つの識別子は、ソースＩＤまたは宛先ＩＤのうちの少なくとも１つを備えうる。別の態様では、少なくとも１つの識別子は、１または複数のＳＴＡに関連付けられたグループＩＤを備えうる。
【００６９】
態様では、第１の信号フィールドのために生成された別のチェックサムが、受信されたチェックサムに一致しない場合、第１の信号フィールドから第２の信号フィールドが生成されうる。態様では、ＳＴＡは、この変更に関連するシグナリング情報を受信しうる。そして、このシグナリング情報に基づいて、ＳＴＡにおいて、第２の信号フィールドが定義されうる。
【００７０】
要約すると、本開示は、宛先ＳＴＡが送信パケットの意図された宛先でありうることを、プリアンブルＣＲＣによって、宛先ＳＴＡへ示す方法を提案する。本開示はさらに、宛先ＳＴＡが送信パケットの意図された宛先ではないことがありうることを、プリアンブルＣＲＣによって、宛先ＳＴＡへ示す方法を提案する。
【００７１】
態様では、宛先識別子および／またはソース識別子を利用するスクランブリング関数を用いてＳＩＧフィールドのビットをスクランブルすることによって、宛先ＳＴＡへ向けられたパケット内のプリアンブルのＳＩＧフィールドが生成されうる。別の態様では、プリアンブルのＳＩＧフィールド・ビットに、ソース識別子ビットまたは宛先識別子ビットのうちの少なくとも１つが加えられうる。その後、加えられたビットについてＣＲＣサムが計算され、計算されたＣＲＣサムが、送信されるＳＩＧフィールドに挿入されうる。
【００７２】
本開示の１つの態様では、ＳＩＧフィールド・ビットに、宛先識別子ビットまたはソース識別子ビットのうちの少なくとも１つを加えることは、宛先識別子ビットまたはソース識別子ビットのうちの少なくとも１つをＳＩＧフィールド・ビットの前に加えること、または後に加えることによって達成されうる。
【００７３】
本開示の別の態様では、ＳＩＧフィールド・ビットに加えることは、まず、ＳＩＧフィールドをｎ個の別々のサブセットに分割することによって達成されうる。ここで、ＳＩＧフィールド・ビットを分割する正確なパターンは、宛先識別子またはソース識別子のうちの少なくとも１つに基づきうる。その後、宛先識別子またはソース識別子のうちの少なくとも１つが、最大（ｎ−１）個の別々のサブセットに分割されうる。これら別々のサブセットは、ＳＩＧフィールド・ビット・サブセットを用いてインタリーブされうる。その後、インタリーブされたビットのＣＲＣサムが計算され、プリアンブル内のＳＩＧフィールドのＣＲＣフィールドへ設定されうる。
【００７４】
受信機側では、プリアンブルで受信されたＳＩＧフィールド・ビットが復号されうる。ＳＩＧフィールド・ビットのＣＲＣサムは、ＳＩＧフィールド・ビットに宛先識別子ビットまたはソース識別子ビットのうちの少なくとも１つを加えることにしたがって計算されうる。受信機自身の宛先識別子、および／または、既知のソース識別子が利用されうる。
【００７５】
受信機ＳＴＡにおける省電力のための方法は、受信されたＳＩＧフィールド・ビットを用いてＳＩＧフィールドのＣＲＣサムを計算することと、送信されたパケットにおけるＣＲＣフィールドに対して、計算されたＣＲＣサムをチェックすることとを備えうる。
【００７６】
本開示の１つの態様では、ＣＲＣサムを計算するために送信元のノードにおいて適用される方法を示すために、送信されたＳＩＧフィールドのビットのうちの１つが使用されうる。受信機ＳＴＡは、ＣＲＣサムを計算する前に、受信されたＳＩＧフィールド内のビットをチェックしうる。
【００７７】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズ・プラス・ファンクション構成要素を有しうる。例えば、図６および図７に例示される動作６００および動作７００は、図６Ａおよび図７Ａに例示される構成要素６００Ａおよび構成要素７００Ａに対応する。
【００７８】
例えば、定義する手段は、例えば、アクセス・ポイント１１０の図２からのプロセッサ２１０、ユーザ端末１２０の図２からのプロセッサ２７０、または、無線デバイス３０２の図３からのプロセッサ３０４、のような特定用途向け集積回路を備えうる。生成する手段は、例えばプロセッサ２１０、プロセッサ２７０、またはプロセッサ３０４のような特定用途向け集積回路を備えうる。送信する手段は、例えば、アクセス・ポイント１１０の図２からの送信機２２２、または、無線デバイス３０２の図３からの送信機３１０のような送信機を備えうる。挿入する手段は、例えばプロセッサ２１０、プロセッサ２７０、またはプロセッサ３０４のような特定用途向け集積回路を備えうる。実行する手段は、例えばプロセッサ２１０、プロセッサ２７０、またはプロセッサ３０４のような特定用途向け集積回路を備えうる。分割する手段は、例えばプロセッサ２１０、プロセッサ２７０、またはプロセッサ３０４のような特定用途向け集積回路を備えうる。変更する手段は、例えばプロセッサ２１０、プロセッサ２７０、またはプロセッサ３０４のような特定用途向け集積回路を備えうる。提供する手段は、例えばプロセッサ２１０、プロセッサ２７０、またはプロセッサ３０４のような特定用途向け集積回路を備えうる。スクランブルする手段は、例えばプロセッサ２１０、プロセッサ２７０、またはプロセッサ３０４のような特定用途向け集積回路を備えうる。示す手段は、例えばプロセッサ２１０、プロセッサ２７０、またはプロセッサ３０４のような特定用途向け集積回路を備えうる。受信する手段は、例えば、ユーザ端末１２０の図２からの受信機２５４、または、無線デバイス３０２の図３からの受信機３１２のような受信機を備えうる。比較する手段は、例えばプロセッサ２７０、またはプロセッサ３０４のような特定用途向け集積回路（比較器）を備えうる。判定する手段は、例えばプロセッサ２１０、またはプロセッサ３０４のような特定用途向け集積回路を備えうる。ディセーブルする手段は、例えばプロセッサ２１０、またはプロセッサ３０４のような特定用途向け集積回路を備えうる。
【００７９】
本明細書で使用される場合、用語「判定すること（determining）」は、さまざまな動作を含む。例えば、「判定すること」は、計算、コンピューティング、処理、導出、調査、ルックアップ（例えば、テーブル、データベース、または他のデータ構造内のルックアップ）、確認等を行うことを含みうる。また、「判定すること」は、受信（例えば、情報の受信）、アクセス（例えば、メモリ内のデータへのアクセス）等を行うことを含みうる。また、「判定すること」は、解決、選択、選定、確立等を行うことを含みうる。
【００８０】
本明細書に記載されるように、項目のリストのうちの「少なくとも１つ」と称する文言は、単数を含むこれら項目のうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００８１】
本開示に関連して説明されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行されうる。汎用プロセッサは、マイクロ・プロセッサでありうるが、代替案では、プロセッサは、任意の市販のプロセッサ、コントローラ、マイクロコントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８２】
本開示に関連して記載される方法またはアルゴリズムのステップは、ハードウェアで直接的に、プロセッサによって実行されるソフトウェア・モジュールで、あるいは、これらの組み合わせによって具体化されうる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００８３】
本明細書において開示された方法は、記載された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００８４】
説明された機能は、ハードウェア、ソフトウェア、ファームウェア、またはその任意の組合せで実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ・プログラムを１つの場所から別の場所へ転送することを容易にする任意の媒体を含む通信媒体とコンピュータ記憶媒体との両方を含んでいる。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線（ＩＲ）、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。したがって、いくつかの態様では、コンピュータ読取可能な媒体は、非一時的なコンピュータ読取可能な媒体（例えば、具体的な媒体）を備えうる。さらに、別の態様の場合、コンピュータ読取可能な媒体は、一時的なコンピュータ読取可能な媒体（例えば、信号）を備えうる。前述した組み合わせもまた、コンピュータ読取可能な媒体の範囲内に含まれるべきである。
【００８５】
したがって、ある態様は、本明細書に記載された動作を実行するためのコンピュータ・プログラム製品を備えうる。例えば、このようなコンピュータ・プログラム製品は、格納された（および／または符号化された）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００８６】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８７】
さらに、本明細書で説明される方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー・ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００８８】
特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【００８９】
前述したものは、本開示の態様に向けられているが、これら開示のその他およびさらなる態様が、本願の基本的な範囲から逸脱することなく考案され、この範囲は、以下に示す特許請求の範囲によって決定される。
【図１】
2013537745.tif 000003
【図２】
2013537745.tif 000004
【図３】
2013537745.tif 000005
【図４】
2013537745.tif 000006
【図５】
2013537745.tif 000007
【図６】
2013537745.tif 000008
【図６Ａ】
2013537745.tif 000009
【図７】
2013537745.tif 000010
【図７Ａ】
2013537745.tif 000011
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
通信のための装置であって、
第２の信号フィールドを変更することにより、第１の信号フィールドを定義するように構成された第１の回路と、ここで、前記変更は、少なくとも１つの識別子に基づき、前記第２の信号フィールドは、前記少なくとも１つの識別子を前記第２の信号フィールド内に挿入することにより変更され、前記少なくとも１つの識別子が前記第２のフィールド内に挿入される位置は変動する、
前記第１の信号フィールドのためのチェックサムを生成するように構成された第２の回路と、
前記第１の信号フィールドのために生成されたチェックサムを備えた前記第２の信号フィールドを備えるパケットを送信するように構成された送信機と
を備える装置。
【請求項２】
前記少なくとも１つの識別子は、ソースＩＤまたは宛先ＩＤのうちの少なくとも１つを備える、請求項１に記載の装置。
【請求項３】
前記変更に関連する情報を、前記宛先ＩＤに関連付けられた装置に提供するように構成された第３の回路をさらに備える、請求項２に記載の装置。
【請求項４】
前記変更のために使用された手順を、前記宛先ＩＤに関連付けられた装置へ示すように構成された第３の回路をさらに備える、請求項２に記載の装置。
【請求項５】
前記少なくとも１つの識別子は、グループＩＤを備え、
前記装置はさらに、前記変更のために使用された手順を、前記グループＩＤに関連付けられた装置へ示すように構成された第３の回路をさらに備える、請求項１に記載の装置。
【請求項６】
前記チェックサムは、無線通信規格のＩＥＥＥ  ８０２．１１体系にしたがって送信されたパケットのヘッダに配置され、
前記ヘッダは、前記パケットのサービス・フィールドを備える、請求項１に記載の装置。
【請求項７】
前記第２の信号フィールドは、無線通信規格のＩＥＥＥ  ８０２．１１体系にしたがって送信されたパケットの、超高スループット信号フィールド・タイプＡまたは超高スループット信号フィールド・タイプＢのうちの少なくとも１つを備える、請求項１に記載の装置。
【請求項８】
前記少なくとも１つの識別子は、前記パケットを送信しているソース装置の関連付け識別子（ＡＩＤ）、宛先装置のＡＩＤ、前記ソース装置または前記宛先装置のうちの少なくとも１つにサービス提供するアクセス・ポイントの基本サービス・セット識別情報（ＢＳＳＩＤ）、のうちの少なくとも１つを備える、請求項１に記載の装置。
【請求項９】
通信のための方法であって、
第２の信号フィールドを変更することにより、第１の信号フィールドを定義することと、ここで、前記変更は、少なくとも１つの識別子に基づき、前記第２の信号フィールドは、前記少なくとも１つの識別子を前記第２の信号フィールドに挿入することにより変更され、前記少なくとも１つの識別子が前記第２のフィールド内に挿入される位置は変動する、
前記第１の信号フィールドのためのチェックサムを生成することと、
前記第１の信号フィールドのために生成されたチェックサムを備えた前記第２の信号フィールドを備えるパケットを送信することと、
を備える方法。
【請求項１０】
前記少なくとも１つの識別子は、ソースＩＤまたは宛先ＩＤのうちの少なくとも１つを備える、請求項９に記載の方法。
【請求項１１】
前記変更に関連する情報を、前記宛先ＩＤに関連付けられた装置に提供すること、をさらに備える請求項１０に記載の方法。
【請求項１２】
前記変更のために使用された手順を、前記宛先ＩＤに関連付けられた装置へ示すこと、をさらに備える請求項１０に記載の方法。
【請求項１３】
前記少なくとも１つの識別子は、グループＩＤを備え、
前記方法はさらに、前記変更のために使用された手順を、前記グループＩＤに関連付けられた装置へ示すこと、を備える請求項９に記載の方法。
【請求項１４】
前記チェックサムは、無線通信規格のＩＥＥＥ  ８０２．１１体系にしたがって送信されたパケットのヘッダに配置され、
前記ヘッダは、前記パケットのサービス・フィールドを備える、請求項９に記載の方法。
【請求項１５】
前記第２の信号フィールドは、無線通信規格のＩＥＥＥ  ８０２．１１体系にしたがって送信されたパケットの、超高スループット信号フィールド・タイプＡまたは超高スループット信号フィールド・タイプＢのうちの少なくとも１つを備える、請求項９に記載の方法。
【請求項１６】
前記少なくとも１つの識別子は、前記パケットを送信しているソース装置の関連付け識別子（ＡＩＤ）、宛先装置のＡＩＤ、前記ソース装置または前記宛先装置のうちの少なくとも１つにサービス提供するアクセス・ポイントの基本サービス・セット識別情報（ＢＳＳＩＤ）、のうちの少なくとも１つを備える、請求項９に記載の方法。
【請求項１７】
通信のための装置であって、
第２の信号フィールドを変更することにより、第１の信号フィールドを定義する手段と、ここで、前記変更は、少なくとも１つの識別子に基づき、前記第２の信号フィールドは、前記少なくとも１つの識別子を前記第２の信号内に挿入する手段により変更され、前記少なくとも１つの識別子が前記第２のフィールド内に挿入される位置は変動する、
前記第１の信号フィールドのためのチェックサムを生成する手段と、
前記第１の信号フィールドのために生成されたチェックサムを備えた前記第２の信号フィールドを備えるパケットを送信する手段と、
を備える装置。
【請求項１８】
前記少なくとも１つの識別子は、ソースＩＤまたは宛先ＩＤのうちの少なくとも１つを備える、請求項１７に記載の装置。
【請求項１９】
前記変更に関連する情報を、前記宛先ＩＤに関連付けられた装置に提供する手段、をさらに備える請求項１８に記載の装置。
【請求項２０】
前記変更のために使用された手順を、前記宛先ＩＤに関連付けられた装置へ示す手段、をさらに備える請求項１８に記載の装置。
【請求項２１】
前記少なくとも１つの識別子は、グループＩＤを備え、
前記装置はさらに、前記変更のために使用された手順を、前記グループＩＤに関連付けられた装置へ示す手段、を備える請求項１７に記載の装置。
【請求項２２】
前記チェックサムは、無線通信規格のＩＥＥＥ  ８０２．１１体系にしたがって送信されたパケットのヘッダに配置され、
前記ヘッダは、前記パケットのサービス・フィールドを備える、請求項１７に記載の装置。
【請求項２３】
前記第２の信号フィールドは、無線通信規格のＩＥＥＥ  ８０２．１１体系にしたがって送信されたパケットの、超高スループット信号フィールド・タイプＡまたは超高スループット信号フィールド・タイプＢのうちの少なくとも１つを備える、請求項１７に記載の装置。
【請求項２４】
前記少なくとも１つの識別子は、前記パケットを送信しているソース装置の関連付け識別子（ＡＩＤ）、宛先装置のＡＩＤ、前記ソース装置または前記宛先装置のうちの少なくとも１つにサービス提供するアクセス・ポイントの基本サービス・セット識別情報（ＢＳＳＩＤ）、のうちの少なくとも１つを備える、請求項１７に記載の装置。
【請求項２５】
無線通信のためのコンピュータ・プログラム製品であって、
第２の信号フィールドを変更することにより、第１の信号フィールドを定義することと、ここで、前記変更は、少なくとも１つの識別子に基づき、前記第２の信号フィールドは、前記少なくとも１つの識別子を前記第２の信号フィールドに挿入することにより変更され、前記少なくとも１つの識別子が前記第２のフィールド内に挿入される位置は変動する、
前記第１の信号フィールドのためのチェックサムを生成することと、
前記第１の信号フィールドのために生成された前記チェックサムを備えた第２の信号フィールドを備えるパケットを送信することと、
を実行可能な命令群を備えるコンピュータ読取可能な媒体を備える、コンピュータ・プログラム製品。
【請求項２６】
アクセス・ポイントであって、
少なくとも１つのアンテナと、
第２の信号フィールドを変更することにより、第１の信号フィールドを定義するように構成された第１の回路と、ここで、前記変更は、少なくとも１つの識別子に基づき、前記第２の信号フィールドは、前記少なくとも１つの識別子を前記第２の信号フィールドに挿入することにより変更され、前記少なくとも１つの識別子が前記第２のフィールド内に挿入される位置は変動する、
前記第１の信号フィールドのためのチェックサムを生成するように構成された第２の回路と、
前記第１の信号フィールドのために生成された前記チェックサムを備えた前記第２の信号フィールドを備えるパケットを、前記少なくとも１つのアンテナを介して送信するように構成された送信機と、
を備えるアクセス・ポイント。
【請求項２７】
通信のための装置であって、
チェックサムを備えた第１の信号フィールドを備えるパケットを受信するように構成された受信機と、
前記第１の信号フィールドを変更することにより第２の信号フィールドを定義するように構成された第１の回路と、ここで、前記変更は、少なくとも１つの識別子に基づき、前記第２の信号フィールドは、前記少なくとも１つの識別子を前記第１の信号フィールドに挿入することにより変更され、前記少なくとも１つの識別子が前記第２のフィールド内に挿入される位置は変動する、
前記第２の信号フィールドのためのチェックサムを生成するように構成された第２の回路と、
前記生成されたチェックサムを、前記受信されたチェックサムと比較し、前記生成されたチェックサムが、前記受信されたチェックサムと一致する場合、前記パケットが、前記少なくとも１つの識別子に関連付けられていると判定するように構成された第３の回路と、
を備える装置。
【請求項２８】
前記受信機はまた、前記変更に関連するシグナリング情報を受信するように構成され、
前記第１の回路はまた、前記シグナリング情報に基づいて、前記第２の信号フィールドを定義するように構成された、請求項２７に記載の装置。
【請求項２９】
前記少なくとも１つの識別子は、ソースＩＤまたは宛先ＩＤのうちの少なくとも１つを備える、請求項２７に記載の装置。
【請求項３０】
前記受信機はまた、前記ソースＩＤに関連付けられた装置において、前記受信されたチェックサムを計算するために使用された手順に関するインジケーションを受信するように構成された、請求項２９に記載の装置。
【請求項３１】
前記少なくとも１つの識別子は、グループＩＤを備え、
前記受信機はまた、前記グループＩＤに関連付けられた装置において、前記受信されたチェックサムを計算するために使用された手順に関するインジケーションを受信するように構成された、請求項２７に記載の装置。
【請求項３２】
前記第１の信号フィールドのために生成された別のチェックサムが、前記受信されたチェックサムと一致しない場合、前記第１の信号フィールドから前記第２の信号フィールドが生成される、請求項２７に記載の装置。
【請求項３３】
前記第３の回路はまた、前記生成されたチェックサムが、前記受信されたチェックサムと一致しない場合、前記装置による前記パケットのさらなる処理をディセーブルするように構成された、請求項２７に記載の装置。
【請求項３４】
通信のための方法であって、
チェックサムを備えた第１の信号フィールドを備えるパケットを受信することと、
前記第１の信号フィールドを変更することにより第２の信号フィールドを定義することと、ここで、前記変更は、少なくとも１つの識別子に基づき、前記第１の信号フィールドは、前記少なくとも１つの識別子を前記第１の信号フィールドに挿入することにより変更され、前記少なくとも１つの識別子が前記第２のフィールド内に挿入される位置は変動する、
前記第２の信号フィールドのためのチェックサムを生成することと、
前記生成されたチェックサムを、前記受信されたチェックサムと比較することと、
前記生成されたチェックサムが、前記受信されたチェックサムと一致する場合、前記パケットが、前記少なくとも１つの識別子に関連付けられていると判定することと、
を備える方法。
【請求項３５】
前記変更に関連するシグナリング情報を受信することと、
前記シグナリング情報に基づいて、前記第２の信号フィールドを定義することと、
をさらに備える請求項３４に記載の方法。
【請求項３６】
前記少なくとも１つの識別子は、ソースＩＤまたは宛先ＩＤのうちの少なくとも１つを備える、請求項３４に記載の方法。
【請求項３７】
前記ソースＩＤに関連付けられた装置において、前記受信されたチェックサムを計算するために使用された手順に関するインジケーションを受信すること、をさらに備える請求項３６に記載の方法。
【請求項３８】
前記少なくとも１つの識別子は、グループＩＤを備え、
前記方法はさらに、前記グループＩＤに関連付けられた装置において、前記受信されたチェックサムを計算するために使用された手順に関するインジケーションを受信すること、をさらに備える請求項３４に記載の方法。
【請求項３９】
前記第１の信号フィールドのために生成された別のチェックサムが、前記受信されたチェックサムに一致しない場合、前記第１の信号フィールドから前記第２の信号フィールドが生成される、請求項３４に記載の方法。
【請求項４０】
前記生成されたチェックサムが、前記受信されたチェックサムと一致しない場合、前記パケットのさらなる処理をディセーブルすること、をさらに備える請求項３４に記載の方法。
【請求項４１】
通信のための装置であって、
チェックサムを備えた第１の信号フィールドを備えるパケットを受信する手段と、
前記第１の信号フィールドを変更することにより第２の信号フィールドを定義する手段と、ここで、前記変更は、少なくとも１つの識別子に基づき、前記第１の信号フィールドは、前記少なくとも１つの識別子を前記第１の信号フィールドに挿入する手段により変更され、前記少なくとも１つの識別子が前記第２のフィールド内に挿入される位置は変動する、
前記第２の信号フィールドのためのチェックサムを生成する手段と、
前記生成されたチェックサムを、前記受信されたチェックサムと比較する手段と、
前記生成されたチェックサムが、前記受信されたチェックサムと一致する場合、前記パケットが、前記少なくとも１つの識別子に関連付けられていると判定する手段と、
を備える装置。
【請求項４２】
前記受信する手段はさらに、前記変更に関連するシグナリング情報を受信するように構成され、
前記装置はさらに、前記シグナリング情報に基づいて、前記第２の信号フィールドを定義する手段を備える請求項４１に記載の装置。
【請求項４３】
前記少なくとも１つの識別子は、ソースＩＤまたは宛先ＩＤのうちの少なくとも１つを備える、請求項４１に記載の装置。
【請求項４４】
前記受信する手段はさらに、前記ソースＩＤに関連付けられた装置において、前記受信されたチェックサムを計算するために使用された手順に関するインジケーションを受信するように構成された、請求項４３に記載の装置。
【請求項４５】
前記少なくとも１つの識別子は、グループＩＤを備え、
前記受信する手段はさらに、前記グループＩＤに関連付けられた装置において、前記受信されたチェックサムを計算するために使用された手順に関するインジケーションを受信するように構成された、請求項４１に記載の装置。
【請求項４６】
前記第１の信号フィールドのために生成された別のチェックサムが、前記受信されたチェックサムに一致しない場合、前記第１の信号フィールドから前記第２の信号フィールドが生成される、請求項４１に記載の装置。
【請求項４７】
前記生成されたチェックサムが、前記受信されたチェックサムと一致しない場合、前記装置による前記パケットのさらなる処理をディセーブルする手段、をさらに備える請求項４１に記載の装置。
【請求項４８】
通信のためのコンピュータ・プログラム製品であって、
チェックサムを備えた第１の信号フィールドを備えるパケットを受信することと、
前記第１の信号フィールドを変更することにより第２の信号フィールドを定義することと、ここで、前記変更は、少なくとも１つの識別子に基づき、前記第１の信号フィールドは、前記少なくとも１つの識別子を前記第１の信号フィールドに挿入することにより変更され、前記少なくとも１つの識別子が前記第２のフィールド内に挿入される位置は変動する、
前記第２の信号のフィールドのためのチェックサムを生成することと、
前記生成されたチェックサムを、前記受信されたチェックサムと比較することと、
前記生成されたチェックサムが、前記受信されたチェックサムと一致する場合、前記パケットが、前記少なくとも１つの識別子に関連付けられていると判定することと、
を実行可能な命令群を備えるコンピュータ読取可能な媒体を備える、コンピュータ・プログラム製品。
【請求項４９】
アクセス端末であって、
少なくとも１つのアンテナと、
チェックサムを備えた第１の信号フィールドを備えるパケットを、前記少なくとも１つのアンテナを介して受信するように構成された受信機と、
前記第１の信号フィールドを変更することにより第２の信号フィールドを定義するように構成された第１の回路と、ここで、前記変更は、少なくとも１つの識別子に基づき、前記第１の信号フィールドは、前記少なくとも１つの識別子を前記第１の信号フィールドに挿入することにより変更され、前記少なくとも１つの識別子が前記第２のフィールド内に挿入される位置は変動する、
前記第２の信号のフィールドのためのチェックサムを生成するように構成された第２の回路と、
前記生成されたチェックサムを、前記受信されたチェックサムと比較し、前記生成されたチェックサムが、前記受信されたチェックサムと一致する場合、前記パケットが、前記少なくとも１つの識別子に関連付けられていると判定するように構成された第３の回路と、
を備えるアクセス端末。
【手続補正２】
【補正対象書類名】明細書
【補正対象項目名】００８９
【補正方法】変更
【補正の内容】
【００８９】
前述したものは、本開示の態様に向けられているが、これら開示のその他およびさらなる態様が、本願の基本的な範囲から逸脱することなく考案され、この範囲は、以下に示す特許請求の範囲によって決定される。
以下に、本願出願の当初の特許請求の範囲に記載された発明を付記する。
［Ｃ１］
通信のための装置であって、
第２の信号フィールドを変更することにより、第１の信号フィールドを定義するように構成された第１の回路と、ここで、前記変更は、少なくとも１つの識別子に基づく、
前記第１の信号フィールドのためのチェックサムを生成するように構成された第２の回路と、
前記第１の信号フィールドのために生成されたチェックサムを備えた前記第２の信号フィールドを備えるパケットを送信するように構成された送信機と、
を備える装置。
［Ｃ２］
前記変更中に修正された前記第２の信号フィールドのビットの位置は、前記少なくとも１つの識別子に基づいて判定される、Ｃ１に記載の装置。
［Ｃ３］
前記第１の回路はまた、前記第２の信号フィールドに、前記少なくとも１つの識別子を挿入し、前記第１の信号フィールドを定義するように構成された、Ｃ１に記載の装置。
［Ｃ４］
前記第１の回路はまた、前記第２の信号フィールドの少なくとも１つのビットと、前記少なくとも１つの識別子の少なくとも１つのビットとの間で、ＸＯＲ演算を実行するように構成された、Ｃ１に記載の装置。
［Ｃ５］
前記第１の回路はまた、前記第２の信号フィールドを複数のサブ・フィールドに分割し、前記複数のサブ・フィールドのうちの１または複数におけるビットを変更するように構成された、Ｃ１に記載の装置。
［Ｃ６］
前記複数のサブ・フィールドは、第１の変更されていないサブ・フィールドと、第２の変更されていないサブ・フィールドとを備え、
前記第１の変更されていないサブ・フィールドのサイズ、または、前記第２の変更されていないサブ・フィールドのサイズのうちの少なくとも１つは、前記少なくとも１つの識別子に基づく、Ｃ５に記載の装置。
［Ｃ７］
前記第１の変更されていないサブ・フィールドのサイズ、または、前記第２の変更されていないサブ・フィールドのサイズのうちの少なくとも１つを、前記少なくとも１つの識別子に関連付けられた装置に提供するように構成された第３の回路、をさらに備えるＣ６に記載の装置。
［Ｃ８］
前記第１の回路はまた、前記少なくとも１つの識別子に基づいて前記第２の信号フィールドのビットをスクランブルして、前記第１の信号フィールドを定義するように構成された、Ｃ１に記載の装置。
［Ｃ９］
前記少なくとも１つの識別子は、ソースＩＤまたは宛先ＩＤのうちの少なくとも１つを備える、Ｃ１に記載の装置。
［Ｃ１０］
前記変更に関連する情報を、前記宛先ＩＤに関連付けられた装置に提供するように構成された第３の回路をさらに備える、Ｃ９に記載の装置。
［Ｃ１１］
前記変更のために使用された手順を、前記宛先ＩＤに関連付けられた装置へ示すように構成された第３の回路をさらに備える、Ｃ９に記載の装置。
［Ｃ１２］
前記少なくとも１つの識別子は、グループＩＤを備え、
前記装置はさらに、前記変更のために使用された手順を、前記グループＩＤに関連付けられた装置へ示すように構成された第３の回路をさらに備える、Ｃ１に記載の装置。
［Ｃ１３］
前記チェックサムは、無線通信規格のＩＥＥＥ  ８０２．１１体系にしたがって送信されたパケットのヘッダに配置され、
前記ヘッダは、前記パケットのサービス・フィールドを備える、Ｃ１に記載の装置。
［Ｃ１４］
前記第２の信号フィールドは、無線通信規格のＩＥＥＥ  ８０２．１１体系にしたがって送信されたパケットの、超高スループット信号フィールド・タイプＡまたは超高スループット信号フィールド・タイプＢのうちの少なくとも１つを備える、Ｃ１に記載の装置。
［Ｃ１５］
前記少なくとも１つの識別子は、前記パケットを送信しているソース装置の関連付け識別子（ＡＩＤ）、宛先装置のＡＩＤ、前記ソース装置または前記宛先装置のうちの少なくとも１つにサービス提供するアクセス・ポイントの基本サービス・セット識別情報（ＢＳＳＩＤ）、のうちの少なくとも１つを備える、Ｃ１に記載の装置。
［Ｃ１６］
通信のための方法であって、
第２の信号フィールドを変更することにより、第１の信号フィールドを定義することと、ここで、前記変更は、少なくとも１つの識別子に基づく、
前記第１の信号フィールドのためのチェックサムを生成することと、
前記第１の信号フィールドのために生成されたチェックサムを備えた前記第２の信号フィールドを備えるパケットを送信することと、
を備える方法。
［Ｃ１７］
前記変更中に修正された前記第２の信号フィールドのビットの位置は、前記少なくとも１つの識別子に基づいて判定される、Ｃ１６に記載の方法。
［Ｃ１８］
前記第１の信号フィールドを定義することは、前記第２の信号フィールドに、前記少なくとも１つの識別子を挿入することを備える、Ｃ１６に記載の方法。
［Ｃ１９］
前記第１の信号フィールドを定義することは、前記第２の信号フィールドの少なくとも１つのビットと、前記少なくとも１つの識別子の少なくとも１つのビットとの間で、ＸＯＲ演算を実行することを備える、Ｃ１６に記載の方法。
［Ｃ２０］
前記第１の信号フィールドを定義することは、
前記第２の信号フィールドを複数のサブ・フィールドに分割することと、
前記複数のサブ・フィールドのうちの１または複数におけるビットを変更することとを備える、Ｃ１６に記載の方法。
［Ｃ２１］
前記複数のサブ・フレームは、第１の変更されていないサブ・フィールドと、第２の変更されていないサブ・フィールドとを備え、
前記第１の変更されていないサブ・フィールドのサイズ、または、前記第２の変更されていないサブ・フィールドのサイズのうちの少なくとも１つは、前記少なくとも１つの識別子に基づく、Ｃ２０に記載の方法。
［Ｃ２２］
前記第１の変更されていないサブ・フィールドのサイズ、または、前記第２の変更されていないサブ・フィールドのサイズのうちの少なくとも１つを、前記少なくとも１つの識別子に関連付けられた装置に提供することをさらに備える、Ｃ２１に記載の方法。
［Ｃ２３］
前記第１の信号フィールドを定義することは、前記少なくとも１つの識別子に基づいて前記第２の信号フィールドのビットをスクランブルすることを備える、Ｃ１６に記載の方法。
［Ｃ２４］
前記少なくとも１つの識別子は、ソースＩＤまたは宛先ＩＤのうちの少なくとも１つを備える、Ｃ１６に記載の方法。
［Ｃ２５］
前記変更に関連する情報を、前記宛先ＩＤに関連付けられた装置に提供すること、をさらに備えるＣ２４に記載の方法。
［Ｃ２６］
前記変更のために使用された手順を、前記宛先ＩＤに関連付けられた装置へ示すこと、をさらに備えるＣ２４に記載の方法。
［Ｃ２７］
前記少なくとも１つの識別子は、グループＩＤを備え、
前記方法はさらに、前記変更のために使用された手順を、前記宛先ＩＤに関連付けられた装置へ示すこと、を備えるＣ１６に記載の方法。
［Ｃ２８］
前記チェックサムは、無線通信規格のＩＥＥＥ  ８０２．１１体系にしたがって送信されたパケットのヘッダに配置され、
前記ヘッダは、前記パケットのサービス・フィールドを備える、Ｃ１６に記載の方法。
［Ｃ２９］
前記第２の信号フィールドは、無線通信規格のＩＥＥＥ  ８０２．１１体系にしたがって送信されたパケットの、超高スループット信号フィールド・タイプＡまたは超高スループット信号フィールド・タイプＢのうちの少なくとも１つを備える、Ｃ１６に記載の方法。
［Ｃ３０］
前記少なくとも１つの識別子は、前記パケットを送信しているソース装置の関連付け識別子（ＡＩＤ）、宛先装置のＡＩＤ、前記ソース装置または前記宛先装置のうちの少なくとも１つにサービス提供するアクセス・ポイントの基本サービス・セット識別情報（ＢＳＳＩＤ）、のうちの少なくとも１つを備える、Ｃ１６に記載の方法。
［Ｃ３１］
通信のための装置であって、
第２の信号フィールドを変更することにより、第１の信号フィールドを定義する手段と、ここで、前記変更は、少なくとも１つの識別子に基づく、
前記第１の信号フィールドのためのチェックサムを生成する手段と、
前記第１の信号フィールドのために生成されたチェックサムを備えた前記第２の信号フィールドを備えるパケットを送信する手段と、
を備える装置。
［Ｃ３２］
前記変更中に修正された前記第２の信号フィールドのビットの位置は、前記少なくとも１つの識別子に基づいて判定される、Ｃ３１に記載の装置。
［Ｃ３３］
前記第２の信号フィールドに、前記少なくとも１つの識別子を挿入し、前記第１の信号フィールドを定義する手段、をさらに備えるＣ３１に記載の装置。
［Ｃ３４］
前記第２の信号フィールドの少なくとも１つのビットと、前記少なくとも１つの識別子の少なくとも１つのビットとの間で、ＸＯＲ演算を実行し、前記第１の信号フィールドを定義する手段、をさらに備えるＣ３１に記載の装置。
［Ｃ３５］
前記第２の信号フィールドを複数のサブ・フィールドに分割する手段と、
前記複数のサブ・フィールドのうちの１または複数におけるビットを変更する手段と、さらに備えるＣ３１に記載の装置。
［Ｃ３６］
前記複数のサブ・フィールドは、第１の変更されていないサブ・フィールドと、第２の変更されていないサブ・フィールドとを備え、
前記第１の変更されていないサブ・フィールドのサイズ、または、前記第２の変更されていないサブ・フィールドのサイズのうちの少なくとも１つは、前記少なくとも１つの識別子に基づく、Ｃ３５に記載の装置。
［Ｃ３７］
前記第１の変更されていないサブ・フィールドのサイズ、または、前記第２の変更されていないサブ・フィールドのサイズのうちの少なくとも１つを、前記少なくとも１つの識別子に関連付けられた装置に提供する手段、をさらに備えるＣ３６に記載の装置。
［Ｃ３８］
前記少なくとも１つの識別子に基づいて前記第２の信号フィールドのビットをスクランブルして、前記第１の信号フィールドを定義する手段、をさらに備えるＣ３１に記載の装置。
［Ｃ３９］
前記少なくとも１つの識別子は、ソースＩＤまたは宛先ＩＤのうちの少なくとも１つを備える、Ｃ３１に記載の装置。
［Ｃ４０］
前記変更に関連する情報を、前記宛先ＩＤに関連付けられた装置に提供する手段、をさらに備えるＣ３９に記載の装置。
［Ｃ４１］
前記変更のために使用された手順を、前記宛先ＩＤに関連付けられた装置へ示す手段、をさらに備えるＣ３９に記載の装置。
［Ｃ４２］
前記少なくとも１つの識別子は、グループＩＤを備え、
前記装置はさらに、前記変更のために使用された手順を、前記宛先ＩＤに関連付けられた装置へ示す手段、を備えるＣ３１に記載の装置。
［Ｃ４３］
前記チェックサムは、無線通信規格のＩＥＥＥ  ８０２．１１体系にしたがって送信されたパケットのヘッダに配置され、
前記ヘッダは、前記パケットのサービス・フィールドを備える、Ｃ３１に記載の装置。
［Ｃ４４］
前記第２の信号フィールドは、無線通信規格のＩＥＥＥ  ８０２．１１体系にしたがって送信されたパケットの、超高スループット信号フィールド・タイプＡまたは超高スループット信号フィールド・タイプＢのうちの少なくとも１つを備える、Ｃ３１に記載の装置。
［Ｃ４５］
前記少なくとも１つの識別子は、前記パケットを送信しているソース装置の関連付け識別子（ＡＩＤ）、宛先装置のＡＩＤ、前記ソース装置または前記宛先装置のうちの少なくとも１つにサービス提供するアクセス・ポイントの基本サービス・セット識別情報（ＢＳＳＩＤ）、のうちの少なくとも１つを備える、Ｃ３１に記載の装置。
［Ｃ４６］
無線通信のためのコンピュータ・プログラム製品であって、
第２の信号フィールドを変更することにより、第１の信号フィールドを定義することと、ここで、前記変更は、少なくとも１つの識別子に基づく、
前記第１の信号フィールドのためのチェックサムを生成することと、
前記第１の信号フィールドのために生成された前記チェックサムを備えた第２の信号フィールドを備えるパケットを送信することと、
を実行可能な命令群を備えるコンピュータ読取可能な媒体を備える、コンピュータ・プログラム製品。
［Ｃ４７］
アクセス・ポイントであって、
少なくとも１つのアンテナと、
第２の信号フィールドを変更することにより、第１の信号フィールドを定義するように構成された第１の回路と、ここで、前記変更は、少なくとも１つの識別子に基づく、
前記第１の信号フィールドのためのチェックサムを生成するように構成された第２の回路と、
前記第１の信号フィールドのために生成された前記チェックサムを備えた前記第２の信号フィールドを備えるパケットを、前記少なくとも１つのアンテナを介して送信するように構成された送信機と、
を備えるアクセス・ポイント。
［Ｃ４８］
通信のための装置であって、
チェックサムを備えた第１の信号フィールドを備えるパケットを受信するように構成された受信機と、
前記第１の信号フィールドを変更することにより第２の信号フィールドを定義するように構成された第１の回路と、ここで、前記変更は、少なくとも１つの識別子に基づく、  前記第２の信号フィールドのためのチェックサムを生成するように構成された第２の回路と、
前記生成されたチェックサムを、前記受信されたチェックサムと比較し、前記生成されたチェックサムが、前記受信されたチェックサムと一致する場合、前記パケットが、前記少なくとも１つの識別子に関連付けられていると判定するように構成された第３の回路と、
を備える装置。
［Ｃ４９］
前記変更中に修正された前記第１の信号フィールドのビットの位置は、前記少なくとも１つの識別子に基づいて判定される、Ｃ４８に記載の装置。
［Ｃ５０］
前記第１の回路はまた、前記第１の信号フィールドに、前記少なくとも１つの識別子を挿入し、前記第２の信号フィールドを定義するように構成された、Ｃ４８に記載の装置。
［Ｃ５１］
前記第１の回路はまた、前記第１の信号フィールドの少なくとも１つのビットと、前記少なくとも１つの識別子の少なくとも１つのビットとの間で、ＸＯＲ演算を実行するように構成された、Ｃ４８に記載の装置。
［Ｃ５２］
前記第１の回路はまた、前記第１の信号フィールドを複数のサブ・フィールドに分割し、前記複数のサブ・フィールドのうちの１または複数におけるビットを変更するように構成された、Ｃ４８に記載の装置。
［Ｃ５３］
前記複数のサブ・フィールドは、第１の変更されていないサブ・フィールドと、第２の変更されていないサブ・フィールドとを備え、
前記第１の変更されていないサブ・フィールドのサイズ、または、前記第２の変更されていないサブ・フィールドのサイズのうちの少なくとも１つは、前記少なくとも１つの識別子に基づく、Ｃ５２に記載の装置。
［Ｃ５４］
前記受信機はまた、前記第１の変更されていないサブ・フィールドのサイズ、または、前記第２の変更されていないサブ・フィールドのサイズのうちの少なくとも１つのシグナリングを受信するように構成された、Ｃ５３に記載の装置。
［Ｃ５５］
前記第１の回路はまた、前記少なくとも１つの識別子に基づいて前記第１の信号フィールドのビットをスクランブルして、前記第２の信号フィールドを定義するように構成された、Ｃ４８に記載の装置。
［Ｃ５６］
前記受信機はまた、前記変更に関連するシグナリング情報を受信するように構成され、  前記第１の回路はまた、前記シグナリング情報に基づいて、前記第２の信号フィールドを定義するように構成された、Ｃ４８に記載の装置。
［Ｃ５７］
前記少なくとも１つの識別子は、ソースＩＤまたは宛先ＩＤのうちの少なくとも１つを備える、Ｃ４８に記載の装置。
［Ｃ５８］
前記受信機はまた、前記ソースＩＤに関連付けられた装置において、前記受信されたチェックサムを計算するために使用された手順に関するインジケーションを受信するように構成された、Ｃ５７に記載の装置。
［Ｃ５９］
前記少なくとも１つの識別子は、グループＩＤを備え、
前記受信機はまた、前記グループＩＤに関連付けられた装置において、前記受信されたチェックサムを計算するために使用された手順に関するインジケーションを受信するように構成された、Ｃ４８に記載の装置。
［Ｃ６０］
前記第１の信号フィールドのために生成された別のチェックサムが、前記受信されたチェックサムと一致しない場合、前記第１の信号フィールドから前記第２の信号フィールドが生成される、Ｃ４８に記載の装置。
［Ｃ６１］
前記第３の回路はまた、前記生成されたチェックサムが、前記受信されたチェックサムと一致しない場合、前記装置による前記パケットのさらなる処理をディセーブルするように構成された、Ｃ４８に記載の装置。
［Ｃ６２］
通信のための方法であって、
チェックサムを備えた第１の信号フィールドを備えるパケットを受信することと、
前記第１の信号フィールドを変更することにより第２の信号フィールドを定義することと、ここで、前記変更は、少なくとも１つの識別子に基づく、
前記第２の信号フィールドのためのチェックサムを生成することと、
前記生成されたチェックサムを、前記受信されたチェックサムと比較することと、
前記生成されたチェックサムが、前記受信されたチェックサムと一致する場合、前記パケットが、前記少なくとも１つの識別子に関連付けられていると判定することと、
を備える方法。
［Ｃ６３］
前記変更中に修正された前記第１の信号フィールドのビットの位置は、前記少なくとも１つの識別子に基づいて判定される、Ｃ６２に記載の方法。
［Ｃ６４］
前記第２の信号フィールドを定義することは、前記第１の信号フィールドに、前記少なくとも１つの識別子を挿入することを備える、Ｃ６２に記載の方法。
［Ｃ６５］
前記第２の信号フィールドを定義することは、前記第１の信号フィールドの少なくとも１つのビットと、前記少なくとも１つの識別子の少なくとも１つのビットとの間で、ＸＯＲ演算を実行することを備える、Ｃ６２に記載の方法。
［Ｃ６６］
前記第２の信号フィールドを定義することは、
前記第１の信号フィールドを複数のサブ・フィールドに分割することと、
前記複数のサブ・フィールドのうちの１または複数におけるビットを変更することとを備える、Ｃ６２に記載の方法。
［Ｃ６７］
前記複数のサブ・フィールドは、第１の変更されていないサブ・フィールドと、第２の変更されていないサブ・フィールドとを備え、
前記第１の変更されていないサブ・フィールドのサイズ、または、前記第２の変更されていないサブ・フィールドのサイズのうちの少なくとも１つは、前記少なくとも１つの識別子に基づく、Ｃ６６に記載の方法。
［Ｃ６８］
前記第１の変更されていないサブ・フィールドのサイズ、または、前記第２の変更されていないサブ・フィールドのサイズのうちの少なくとも１つのシグナリングを受信すること、をさらに備えるＣ６７に記載の方法。
［Ｃ６９］
前記第２の信号フィールドを定義することは、前記少なくとも１つの識別子に基づいて前記第１の信号フィールドのビットをスクランブルすることを備える、Ｃ６２に記載の方法。
［Ｃ７０］
前記変更に関連するシグナリング情報を受信することと、
前記シグナリング情報に基づいて、前記第２の信号フィールドを定義することと、
をさらに備えるＣ６２に記載の方法。
［Ｃ７１］
前記少なくとも１つの識別子は、ソースＩＤまたは宛先ＩＤのうちの少なくとも１つを備える、Ｃ６２に記載の方法。
［Ｃ７２］
前記ソースＩＤに関連付けられた装置において、前記受信されたチェックサムを計算するために使用された手順に関するインジケーションを受信すること、をさらに備えるＣ７１に記載の方法。
［Ｃ７３］
前記少なくとも１つの識別子は、グループＩＤを備え、
前記方法はさらに、前記グループＩＤに関連付けられた装置において、前記受信されたチェックサムを計算するために使用された手順に関するインジケーションを受信すること、をさらに備えるＣ６２に記載の方法。
［Ｃ７４］
前記第１の信号フィールドのために生成された別のチェックサムが、前記受信されたチェックサムに一致しない場合、前記第１の信号フィールドから前記第２の信号フィールドが生成される、Ｃ６２に記載の方法。
［Ｃ７５］
前記生成されたチェックサムが、前記受信されたチェックサムと一致しない場合、前記パケットのさらなる処理をディセーブルすること、をさらに備えるＣ６２に記載の方法。
［Ｃ７６］
通信のための装置であって、
チェックサムを備えた第１の信号フィールドを備えるパケットを受信する手段と、
前記第１の信号フィールドを変更することにより第２の信号フィールドを定義する手段と、ここで、前記変更は、少なくとも１つの識別子に基づく、
前記第２の信号フィールドのためのチェックサムを生成する手段と、
前記生成されたチェックサムを、前記受信されたチェックサムと比較する手段と、
前記生成されたチェックサムが、前記受信されたチェックサムと一致する場合、前記パケットが、前記少なくとも１つの識別子に関連付けられていると判定する手段と、
を備える装置。
［Ｃ７７］
前記変更中に修正された前記第１の信号フィールドのビットの位置は、前記少なくとも１つの識別子に基づいて判定される、Ｃ７６に記載の装置。
［Ｃ７８］
前記第１の信号フィールドに、前記少なくとも１つの識別子を挿入し、前記第２の信号フィールドを定義する手段、をさらに備えるＣ７６に記載の装置。
［Ｃ７９］
前記第１の信号フィールドの少なくとも１つのビットと、前記少なくとも１つの識別子の少なくとも１つのビットとの間で、ＸＯＲ演算を実行し、前記第２の信号フィールドを定義する手段、をさらに備えるＣ７６に記載の装置。
［Ｃ８０］
前記第１の信号フィールドを複数のサブ・フィールドに分割する手段と、
前記複数のサブ・フィールドのうちの１または複数におけるビットを変更する手段と、をさらに備えるＣ７６に記載の装置。
［Ｃ８１］
前記複数のサブ・フィールドは、第１の変更されていないサブ・フィールドと、第２の変更されていないサブ・フィールドとを備え、
前記第１の変更されていないサブ・フィールドのサイズ、または、前記第２の変更されていないサブ・フィールドのサイズのうちの少なくとも１つは、前記少なくとも１つの識別子に基づく、Ｃ８０に記載の装置。
［Ｃ８２］
前記受信する手段はさらに、前記第１の変更されていないサブ・フィールドのサイズ、または、前記第２の変更されていないサブ・フィールドのサイズのうちの少なくとも１つのシグナリングを受信するように構成された、Ｃ８１に記載の装置。
［Ｃ８３］
前記少なくとも１つの識別子に基づいて前記第１の信号フィールドのビットをスクランブルして、前記第２の信号フィールドを定義する手段、をさらに備えるＣ７６に記載の装置。
［Ｃ８４］
前記受信する手段はさらに、前記変更に関連するシグナリング情報を受信するように構成され、
前記装置はさらに、前記シグナリング情報に基づいて、前記第２の信号フィールドを定義する手段を備えるＣ７６に記載の装置。
［Ｃ８５］
前記少なくとも１つの識別子は、ソースＩＤまたは宛先ＩＤのうちの少なくとも１つを備える、Ｃ７６に記載の装置。
［Ｃ８６］
前記受信する手段はさらに、前記ソースＩＤに関連付けられた装置において、前記受信されたチェックサムを計算するために使用された手順に関するインジケーションを受信するように構成された、Ｃ８５に記載の装置。
［Ｃ８７］
前記少なくとも１つの識別子は、グループＩＤを備え、
前記受信する手段はさらに、前記グループＩＤに関連付けられた装置において、前記受信されたチェックサムを計算するために使用された手順に関するインジケーションを受信するように構成された、Ｃ７６に記載の装置。
［Ｃ８８］
前記第１の信号フィールドのために生成された別のチェックサムが、前記受信されたチェックサムに一致しない場合、前記第１の信号フィールドから前記第２の信号フィールドが生成される、Ｃ７６に記載の装置。
［Ｃ８９］
前記生成されたチェックサムが、前記受信されたチェックサムと一致しない場合、前記装置による前記パケットのさらなる処理をディセーブルする手段、をさらに備えるＣ７６に記載の装置。
［Ｃ９０］
通信のためのコンピュータ・プログラム製品であって、
チェックサムを備えた第１の信号フィールドを備えるパケットを受信することと、
前記第１の信号フィールドを変更することにより第２の信号フィールドを定義することと、ここで、前記変更は、少なくとも１つの識別子に基づく、
前記第２の信号のフィールドのためのチェックサムを生成することと、
前記生成されたチェックサムを、前記受信されたチェックサムと比較することと、
前記生成されたチェックサムが、前記受信されたチェックサムと一致する場合、前記パケットが、前記少なくとも１つの識別子に関連付けられていると判定することと、
を実行可能な命令群を備えるコンピュータ読取可能な媒体を備える、コンピュータ・プログラム製品。
［Ｃ９１］
アクセス端末であって、
少なくとも１つのアンテナと、
チェックサムを備えた第１の信号フィールドを備えるパケットを、前記少なくとも１つのアンテナを介して受信するように構成された受信機と、
前記第１の信号フィールドを変更することにより第２の信号フィールドを定義するように構成された第１の回路と、ここで、前記変更は、少なくとも１つの識別子に基づく、
前記第２の信号のフィールドのためのチェックサムを生成するように構成された第２の回路と、
前記生成されたチェックサムを、前記受信されたチェックサムと比較し、前記生成されたチェックサムが、前記受信されたチェックサムと一致する場合、前記パケットが、前記少なくとも１つの識別子に関連付けられていると判定するように構成された第３の回路と、
を備えるアクセス端末。
【国際調査報告】
2013537745.tif 000012
2013537745.tif 000013
2013537745.tif 000014
2013537745.tif 000015
2013537745.tif 000016
2013537745.tif 000017
2013537745.tif 000018